(57)【要約】      （修正有）【課題】利用者の状態に応じて心理状態に効果的に影響を及ぼすことができる照明システム及び照明方法を提供する。【解決手段】照明システム１０は、発光面ＥＰを有し空間Ｓに光を射出する照明装置２０と、空間Ｓの利用者が第１状態にある場合に発光面ＥＰのうちの発光している発光領域が、利用者が第１状態とは異なる第２状態にある場合に発光面ＥＰのうちの発光している領域と異なるように、照明装置２０を制御する制御装置１５と、を有する。【選択図】図１
2019200915.tif 000002
【特許請求の範囲】
【請求項１】
発光面を有し空間に光を射出する照明装置と、
前記空間の利用者が第１状態にある場合に前記発光面のうちの発光している領域が、前記利用者が前記第１状態とは異なる第２状態にある場合に前記発光面のうちの発光している領域と異なるように、前記照明装置を制御する制御装置と、を備える、照明システム。
【請求項２】
前記制御装置は、
前記利用者が前記第１状態及び前記第２状態のうちのいずれか一方の状態にある場合に前記発光面のうちの発光している領域が、前記一方の状態にある前記利用者が前記発光面上の色を意識することができる範囲外となり、
前記利用者が前記第１状態及び前記第２状態のうちのいずれか他方の状態にある場合に前記発光面のうちの発光している領域の少なくとも一部が、前記他方の状態にある前記利用者が前記発光面上の色を意識することができる範囲内となるように、
前記照明装置を制御する、請求項１に記載の照明システム。
【請求項３】
前記制御装置は、
前記利用者が前記第１状態にある場合に前記発光面のうちの発光している領域が、前記第１状態にある前記利用者が前記発光面上の色を意識することができる範囲外となり、
前記利用者が前記第２状態にある場合に前記発光面のうちの発光している領域が、前記第２状態にある前記利用者が前記発光面上の色を意識することができる範囲外となるように、
前記照明装置を制御する、請求項１又は２に記載の照明システム。
【請求項４】
前記制御装置は、
前記利用者が前記第１状態にある場合に前記発光面のうちの発光している領域の少なくとも一部が、前記第１状態にある前記利用者が前記発光面上の色を意識することができる範囲内となり、
前記利用者が前記第２状態にある場合に前記発光面のうちの発光している領域の少なくとも一部が、前記第２状態にある前記利用者が前記発光面上の色を意識することができる範囲内となるように、
前記照明装置を制御する、請求項１に記載の照明システム。
【請求項５】
前記第１状態にある前記利用者が前記発光面上の色を意識することができる範囲は、前記第２状態にある前記利用者が前記発光面上の色を意識することができる範囲よりも狭く、
前記制御装置は、
前記利用者が前記第１状態にある場合に前記発光面のうちの発光している領域が、前記利用者が前記第２状態にある場合に前記発光面のうちの発光している領域よりも広くなるように、
前記照明装置を制御する、請求項１〜４のいずれか一項に記載の照明システム。
【請求項６】
前記第１状態にある前記利用者が前記発光面上の色を意識することができる範囲は、前記第２状態にある前記利用者が前記発光面上の色を意識することができる範囲よりも狭く、
前記制御装置は、
前記利用者が第２状態にある場合に前記発光面のうちの発光している領域が、前記利用者が前記第１状態にある場合に前記発光面のうちの発光している領域よりも広くなるように、
前記照明装置を制御する、請求項１〜４のいずれか一項に記載の照明システム。
【請求項７】
前記利用者の状態を検出する検出センサを更に備え、
前記制御装置は、前記検出センサでの検出結果に基づいて前記照明装置を制御する、請求項１〜６のいずれか一項に記載の照明システム。
【請求項８】
前記検出センサは、前記利用者の瞬き動作、瞬き回数、瞳孔の状態、視線の方向、顔の動作の少なくとも一つを検出する、請求項７に記載の照明システム。
【請求項９】
前記制御装置は、
前記空間の利用者が第１状態にある場合における前記発光面の発光色が、前記利用者が前記第２状態にある場合における前記発光面の発光色と異なるように、
前記照明装置を制御する、請求項１〜８のいずれか一項に記載の照明システム。
【請求項１０】
前記発光面は、前記空間を区画する壁に設けられている、請求項１〜９のいずれか一項に記載の照明システム。
【請求項１１】
前記発光面の或る一定面積の領域からの出射光量は、当該領域よりも前記空間を区画する天井に近接した前記発光面の他の或る一定面積の領域からの出射光量よりも少ない、請求項１０に記載の照明システム。
【請求項１２】
前記利用者が前記発光面上の色を意識することができる範囲内に位置する一定面積の領域からの出射光量は、前記利用者が前記発光面上の色を意識することができる範囲外に位置する一定面積の領域からの出射光量よりも少ない、請求項１〜１１のいずれか一項に記載の照明システム。
【請求項１３】
前記空間を区画する天井に設けられたベース照明装置を、さらに備える、請求項１〜１２のいずれか一項に記載の照明システム。
【請求項１４】
発光面を有する照明装置を用いて空間を照明する方法であって、
前記空間の利用者が第１状態と、前記第１状態とは異なる第２状態と、のいずれであるかを検出する工程と、
前記検出工程での検出結果に基づいて前記発光面を発光させて照明する工程と、を含み、
前記利用者が前記第１状態にある場合に前記発光面のうちの発光している領域と、前記利用者が前記第２状態にある場合に前記発光面のうちの発光している領域と、を異ならせる、照明方法。
【請求項１５】
発光面を有し空間に光を射出する照明装置と、
前記照明装置を制御する制御装置と、を備え、
前記制御装置は、
前記空間の利用者が第１状態及び前記第１状態とは異なる第２状態のうちのいずれか一方の状態にある場合に前記発光面のうちの発光している領域が、前記一方の状態にある前記利用者が前記発光面上の色を意識することができる範囲外となり、
前記利用者が前記第１状態及び前記第２状態のうちのいずれか他方の状態にある場合に前記発光面のうちの発光している領域の少なくとも一部が、前記他方の状態にある前記利用者が前記発光面上の色を意識することができる範囲内となるように、
前記照明装置を制御する、照明システム。
【請求項１６】
発光面を有する照明装置を用いて空間を照明する方法であって、
前記空間の利用者が第１状態と、前記第１状態とは異なる第２状態と、のいずれであるかを検出する工程と、
前記検出工程での検出結果に基づいて前記発光面を発光させて照明する工程と、を含み、
前記利用者が第１状態及び前記第１状態とは異なる第２状態のうちのいずれか一方の状態にある場合に、前記発光面のうちの発光している領域を、前記一方の状態にある前記利用者が前記発光面上の色を意識することができる範囲外とし、
前記利用者が前記第１状態及び前記第２状態のうちのいずれか他方の状態にある場合に前記発光面のうちの発光している領域の少なくとも一部を、前記他方の状態にある前記利用者が前記発光面上の色を意識することができる範囲内とする、照明方法。
【発明の詳細な説明】
【技術分野】
【０００１】
本開示は、照明システム及び照明方法に関する。
【背景技術】
【０００２】
従来、空間に光を射出することで空間を演出する技術が提案されている。例えば、特許文献１では、廻り縁ユニットと称される壁面に設置された間接照明装置を用いて、隠蔽されて直接的に視認され得ない光源からの光を、反射パネルや天井での反射によって間接的に空間に射出することで、天井の高さや壁面の広さが強調されるように空間を演出している。
【先行技術文献】
【特許文献】
【０００３】
【特許文献１】特開２０１１−２１０５９４号公報
【発明の概要】
【発明が解決しようとする課題】
【０００４】
昨今では、照明装置による発光色が空間利用者の心理状態に及ぼし得る影響についても、研究が進められている。本件発明者らが鋭意検討を重ねたところ、利用者の状態に応じて照明方法を変更することで、心理状態に効果的に作用し得ることが知見された。本開示は、このような知見に基づくものであり、心理状態に効果的に影響を及ぼすことができる照明システム及び照明方法を提供することを目的とする。
【課題を解決するための手段】
【０００５】
本開示による第１の照明システムは、
発光面を有し空間に光を射出する照明装置と、
前記空間の利用者が第１状態にある場合に前記発光面のうちの発光している領域が、前記利用者が前記第１状態とは異なる第２状態にある場合に前記発光面のうちの発光している領域と異なるように、前記照明装置を制御する制御装置と、を備える。
【０００６】
本開示による第１の照明システムにおいて、
前記制御装置は、
前記利用者が前記第１状態及び前記第２状態のうちのいずれか一方の状態にある場合に前記発光面のうちの発光している領域が、前記一方の状態にある前記利用者が前記発光面上の色を意識することができる範囲外となり、
前記利用者が前記第１状態及び前記第２状態のうちのいずれか他方の状態にある場合に前記発光面のうちの発光している領域の少なくとも一部が、前記他方の状態にある前記利用者が前記発光面上の色を意識することができる範囲内となるように、
前記照明装置を制御するようにしてもよい。
【０００７】
本開示による第１の照明システムにおいて、
前記制御装置は、
前記利用者が前記第１状態にある場合に前記発光面のうちの発光している領域が、前記第１状態にある前記利用者が前記発光面上の色を意識することができる範囲外となり、
前記利用者が前記第２状態にある場合に前記発光面のうちの発光している領域が、前記第２状態にある前記利用者が前記発光面上の色を意識することができる範囲外となるように、
前記照明装置を制御するようにしてもよい。
【０００８】
本開示による第１の照明システムにおいて、
前記制御装置は、
前記利用者が前記第１状態にある場合に前記発光面のうちの発光している領域の少なくとも一部が、前記第１状態にある前記利用者が前記発光面上の色を意識することができる範囲内となり、
前記利用者が前記第２状態にある場合に前記発光面のうちの発光している領域の少なくとも一部が、前記第２状態にある前記利用者が前記発光面上の色を意識することができる範囲内となるように、
前記照明装置を制御する、請求項１に記載の照明システム。
【０００９】
本開示による第１の照明システムにおいて、前記第１状態にある前記利用者が前記発光面上の色を意識することができる範囲は、前記第２状態にある前記利用者が前記発光面上の色を意識することができる範囲と異なっている、
【００１０】
本開示による第１の照明システムにおいて、
前記第１状態にある前記利用者が前記発光面上の色を意識することができる範囲は、前記第２状態にある前記利用者が前記発光面上の色を意識することができる範囲よりも狭く、
前記制御装置は、
前記利用者が前記第１状態にある場合に前記発光面のうちの発光している領域が、前記利用者が前記第２状態にある場合に前記発光面のうちの発光している領域よりも広くなるように、
前記照明装置を制御するようにしてもよい。
【００１１】
本開示による第１の照明システムにおいて、
前記制御装置は、
前記利用者が前記第２状態にある場合に前記発光面のうちの発光している領域が、前記第２状態にある前記利用者が前記発光面上の色を意識することができる範囲外となり、
前記利用者が前記第１状態にある場合に前記発光面のうちの発光している領域の少なくとも一部が、前記第１状態にある前記利用者が前記発光面上の色を意識することができる範囲内となるように、
前記照明装置を制御するようにしてもよい。
【００１２】
本開示による第１の照明システムにおいて、
前記制御装置は、
前記利用者が前記第２状態にある場合に前記発光面のうちの発光している領域が、前記利用者が仰角３０°以下且つ俯角３０°以下で見込む範囲外となり、
前記利用者が前記第１状態にある場合に前記発光面のうちの発光している領域の少なくとも一部が、前記利用者が仰角１０°以下且つ俯角１０°以下で見込む範囲内となるように、
前記照明装置を制御するようにしてもよい。
【００１３】
本開示による第１の照明システムにおいて、
前記制御装置は、
前記利用者が前記第１状態にある場合に前記発光面のうちの発光している領域が、前記第１心理状態にある前記利用者が前記発光面上の色を意識することができる範囲外となり、
前記利用者が前記第２状態にある場合に前記発光面のうちの発光している領域の少なくとも一部が、前記第２状態にある前記利用者が前記発光面上の色を意識することができる範囲内となるように、
前記照明装置を制御するようにしてもよい。
【００１４】
本開示による第１の照明システムにおいて、
前記制御装置は、
前記利用者が第１状態にある場合に前記発光面のうちの発光している領域が、前記利用者が仰角１０°以下且つ俯角１０°以下で見込む範囲外となり、
前記利用者が第２状態にある場合に前記発光面のうちの発光している領域の少なくとも一部が、前記利用者が仰角３０°以下且つ俯角３０°以下で見込む範囲内となるように、
前記照明装置を制御するようにしてもよい。
【００１５】
本開示による第１の照明システムにおいて、
前記第１状態にある前記利用者が前記発光面上の色を意識することができる範囲は、前記第２状態にある前記利用者が前記発光面上の色を意識することができる範囲よりも狭く、
前記制御装置は、
前記利用者が第２状態にある場合に前記発光面のうちの発光している領域が、前記利用者が前記第１状態にある場合に前記発光面のうちの発光している領域よりも広くなるように、
前記照明装置を制御するようにしてもよい。
【００１６】
本開示による第１の照明システムにおいて、
前記制御装置は、
前記利用者が第１状態にある場合に前記発光面のうちの発光している領域が、前記第１状態にある前記利用者が前記発光面上の色を意識することができる範囲外となり、
前記利用者が第２状態にある場合に前記発光面のうちの発光している領域の少なくとも一部が、前記第２状態にある前記利用者が前記発光面上の色を意識することができる範囲内となるように、
前記照明装置を制御するようにしてもよい。
【００１７】
本開示による第１の照明システムにおいて、
前記制御装置は、
前記利用者が第１状態にある場合に前記発光面のうちの発光している領域が、前記利用者が仰角３０°以下且つ俯角３０°以下で見込む範囲外となり、
前記利用者が第２状態にある場合に前記発光面のうちの発光している領域の少なくとも一部が、前記利用者が仰角４０°以下且つ俯角４０°以下で見込む範囲内となるように、
前記照明装置を制御するようにしてもよい。
【００１８】
本開示による第１の照明システムが、
前記利用者の状態を検出する検出センサを更に備え、
前記制御装置は、前記検出センサでの検出結果に基づいて前記照明装置を制御するようにしてもよい。
【００１９】
本開示による第１の照明システムにおいて、前記検出センサは、前記利用者の瞬き動作、瞬き回数、瞳孔の状態、視線の方向、顔の動作の少なくとも一つを検出するようにしてもよい。
【００２０】
本開示による第１の照明システムにおいて、前記検出センサは、利用者を撮像する撮像装置を有するようにしてもよい。
【００２１】
本開示による第１の照明システムにおいて、
前記制御装置は、
前記空間の利用者が第１状態にある場合における前記発光面の発光色が、前記利用者が前記第２状態にある場合における前記発光面の発光色と異なるように、
前記照明装置を制御するようにしてもよい。
【００２２】
本開示による第１の照明システムにおいて、前記発光面は、前記空間を区画する壁に設けられていてもよい。
【００２３】
本開示による第１の照明システムにおいて、前記発光面の或る一定面積の領域からの出射光量は、当該領域よりも前記空間を区画する天井に近接した前記発光面の他の或る一定面積の領域からの出射光量よりも少なくなっていてもよい。
【００２４】
本開示による第１の照明システムにおいて、前記発光面の任意に選択される一定面積の領域からの出射光量は、当該領域よりも前記空間を区画する天井に近接する前記発光面の他の一定面積の領域からの出射光量以下となるようにしてもよい。
【００２５】
本開示による第１の照明システムにおいて、前記利用者が前記発光面上の色を意識することができる範囲内に位置する一定面積の領域からの出射光量は、前記利用者が前記発光面上の色を意識することができる範囲外に位置する一定面積の領域からの出射光量よりも少なくなっていてもよい。
【００２６】
本開示による第１の照明システムが、前記空間を区画する天井に設けられたベース照明装置を、さらに備えるようにしてもよい。
【００２７】
本開示による第１の照明方法は、
発光面を有する照明装置を用いて空間を照明する方法であって、
前記空間の利用者が第１状態にある場合に、前記発光面を発光させて照明を行う工程と、
前記空間の利用者が前記第１状態とは異なる第２状態にある場合に、前記発光面を発光させて照明する工程と、を含み、
前記利用者が前記第１状態にある場合に前記発光面のうちの発光している領域と、前記利用者が前記第２状態にある場合に前記発光面のうちの発光している領域と、が異なる。
【００２８】
本開示による第２の照明方法は、
発光面を有する照明装置を用いて空間を照明する方法であって、
前記空間の利用者が第１状態と、前記第１状態とは異なる第２状態と、のいずれであるかを検出する工程と、
前記検出工程での検出結果に基づいて前記発光面を発光させて照明する工程と、を含み、
前記利用者が前記第１状態にある場合に前記発光面のうちの発光している領域と、前記利用者が前記第２状態にある場合に前記発光面のうちの発光している領域と、を異ならせる。
【００２９】
本開示による第２の照明システムは、
発光面を有し空間に光を射出する照明装置と、
前記照明装置を制御する制御装置と、を備え、
前記制御装置は、
前記空間の利用者が第１状態及び前記第１状態とは異なる第２状態のうちのいずれか一方の状態にある場合に前記発光面のうちの発光している領域が、前記一方の状態にある前記利用者が前記発光面上の色を意識することができる範囲外となり、
前記利用者が前記第１状態及び前記第２状態のうちのいずれか他方の状態にある場合に前記発光面のうちの発光している領域の少なくとも一部が、前記他方の状態にある前記利用者が前記発光面上の色を意識することができる範囲内となるように、
前記照明装置を制御する。
【００３０】
本開示による第３の照明方法は、
発光面を有する照明装置を用いて空間を照明する方法であって、
前記空間の利用者が第１状態にある場合に、前記発光面を発光させて照明する工程と、
前記空間の利用者が前記第１状態とは異なる第２状態にある場合に、前記発光面を発光させて照明する工程と、を含み、
前記利用者が第１状態及び前記第１状態とは異なる第２状態のうちのいずれか一方の状態にある場合に、前記発光面のうちの発光している領域を、前記一方の状態にある前記利用者が前記発光面上の色を意識することができる範囲外とし、
前記利用者が前記第１状態及び前記第２状態のうちのいずれか他方の状態にある場合に前記発光面のうちの発光している領域の少なくとも一部を、前記他方の状態にある前記利用者が前記発光面上の色を意識することができる範囲内とする。
【００３１】
本開示による第３の照明方法は、
発光面を有する照明装置を用いて空間を照明する方法であって、
前記空間の利用者が第１状態と、前記第１状態とは異なる第２状態と、のいずれであるかを検出する工程と、
前記検出工程での検出結果に基づいて前記発光面を発光させて照明する工程と、を含み、
前記利用者が第１状態及び前記第１状態とは異なる第２状態のうちのいずれか一方の状態にある場合に、前記発光面のうちの発光している領域を、前記一方の状態にある前記利用者が前記発光面上の色を意識することができる範囲外とし、
前記利用者が前記第１状態及び前記第２状態のうちのいずれか他方の状態にある場合に前記発光面のうちの発光している領域の少なくとも一部を、前記他方の状態にある前記利用者が前記発光面上の色を意識することができる範囲内とする。
【発明の効果】
【００３２】
本発明によれば、空間の利用者の心理状態に効果的に影響を及ぼすことができる。
【図面の簡単な説明】
【００３３】
【図１】図１は、一実施の形態を説明するための図であって、照明システムを示す斜視図である。
【図２】図２は、図１に示された照明システムを上方から示す平面図である。
【図３】図３は、図１に示された照明システムの照明装置を示す縦断面図である。
【図４】図４は、図１の照明システムに含まれる照明装置の面光源装置の一具体例を示す縦断面図である。
【図５】図５は、図４に対応する図であって、面光源装置の他の具体例を示す縦断面図である。
【図６】図６は、図４に対応する図であって、面光源装置の更に他の具体例を示す縦断面図である。
【図７】図７は、図１に示された照明システムを示すブロック図である。
【図８】図８は、図１の照明システムを用いた照明方法の第１例を説明するための図である。
【図９】図９は、図１の照明システムを用いた照明方法の第１例を説明するための図である。
【図１０】図１０は、図８及び図９に示された照明方法を示すフローチャートである。
【図１１】図１１は、図１の照明システムを用いた照明方法の第２例を説明するための図である。
【図１２】図１２は、図１の照明システムを用いた照明方法の第２例を説明するための図である。
【図１３】図１３は、図１の照明システムを用いた照明方法の第３例を説明するための図である。
【図１４】図１４は、図１の照明システムを用いた照明方法の第３例を説明するための図である。
【図１５】図１５は、図１の照明システムを用いた照明方法の第４例を説明するための図である。
【図１６】図１６は、図１の照明システムを用いた照明方法の第５例を説明するための図である。
【図１７】図１７は、図４に対応する図であって、面光源装置の更に他の具体例を示す縦断面図である。
【図１８】図１８は、図３に対応する図であって、照明装置の一変形例を示す縦断面図である。
【図１９】図１９は、図３に対応する図であって、照明装置の他の変形例を示す縦断面図である。
【図２０】図２０は、図１９に示された照明装置を示す分解斜視図である。
【図２１】図２１は、図３に対応する図であって、照明装置の更に他の変形例を示す縦断面図である。
【図２２】図２２は、図３に対応する図であって、照明装置の更に他の変形例を示す縦断面図である。
【発明を実施するための形態】
【００３４】
以下、図面を参照して本実施形態による照明システムおよび照明方法について説明する。なお、本明細書に添付する図面においては、図示と理解のしやすさの便宜上、適宜縮尺および縦横の寸法比等を、実物のそれらから変更し誇張してある。
【００３５】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３６】
さらに、本明細書において、「シート」、「フィルム」、「板」の用語は、呼称の違いのみに基づいて、互いから区別されるものではない。例えば、「板」はシートやフィルムと呼ばれ得るような部材も含む概念である。
【００３７】
また、本実施形態およびその具体例や変形例で参照する図面において、同一部分または同様な機能を有する部分には同一の符号または類似の符号を付し、その繰り返しの説明は省略することがある。
【００３８】
図１〜図２２は、本開示の一実施の形態を説明するための図であって、照明システム及び照明方法のいくつかの具体例を示している。このうち、図１は、一実施の形態による照明システム１０の一具体例を示す斜視図である。また、図２は、図１の照明システム１０を示す平面図である。以下に説明する一実施の形態による照明システム１０は、発光面を有した照明装置を含み、空間Ｓに光を射出する。照明システム１０は、空間Ｓに滞在する利用者Ｈの心理状態に働きかけ、利用者Ｈに望ましい心理状態を生じさせることができる。とりわけ、以下に説明する照明システムは、空間の利用者Ｈの心理状態に効果的に影響を及ぼすことを可能とするための工夫がなされている。より詳しくは、利用者Ｈの状態に応じて照明態様を変化させることで、利用者Ｈの状態に応じた適切な心理作用を及ぼすことが可能となっている。
【００３９】
以下、図示された具体例を参照しながら、一実施の形態に係る照明システム１０及び照明方法について説明する。
【００４０】
図１及び図２に示された例において、照明システム１０は、空間Ｓを照明および演出する。図示された空間Ｓは、第１〜第４の壁Ｗ１〜Ｗ４、天井ＣＥおよび床Ｆによって区画されている。空間Ｓは、直方体状の空間となっている。この空間Ｓは、人間によって利用されることを意図されている部屋または室の内部空間である。より具体的には、会議室や執務室、教室、勉強部屋、自習室の内部空間等を、照明システム１０によって照明される空間Ｓとして例示することができる。図示された例において、空間Ｓの中央には、テーブルＴ及び椅子Ｃが設けられている。椅子は、テーブルＴと第２の壁Ｗ２との間に配置された第１椅子Ｃ１と、テーブルＴと第１の壁Ｗ１との間に配置された第２椅子Ｃ２と、を含んでいる。第４の壁Ｗ４には、出入口Ｄが設けられている。出入口Ｄを介して、空間Ｓへ入ること、空間Ｓから出ることが可能となる。
【００４１】
利用者Ｈは、一般的な部屋や室と同様に、空間Ｓ内において特定の位置に留まるようになる。具体的には、利用者Ｈは、第１椅子Ｃ１又は第２椅子Ｃ２に座り、テーブルＴを利用して何らかの作業や会議を行うことになる。すなわち図示された例において、利用者は、第１の壁Ｗ１に対面するようにして第１椅子Ｃ１に座って、又は、第２の壁Ｗ２に対面するようにして第２椅子Ｃ２に座って、一定の時間を空間Ｓで過ごすことになる。照明システム１０は、空間Ｓ内の特定の位置に特定の姿勢で一定の時間を過ごす利用者Ｈに対して、心理効果を及ぼすことを意図されている。
【００４２】
照明システム１０は、図１に示すように、ベース照明装置１３及び照明装置２０を有している。また、照明システム１０は、空間Ｓの利用者Ｈの状態を検出する検出センサ１８と、検出センサ１８での検出結果に基づいて照明装置２０による制照明方法を調節する制御装置１５と、を更に有している。
【００４３】
図１及び図２に示すように、ベース照明装置１３は、天井ＣＥに取り付けられ、照明光Ｌｘを空間Ｓに上方から放出する。ベース照明装置１３は、天井ＣＥに固定されていてもよいし、天井ＣＥから吊り下げられていてもよい。ベース照明装置１３は、人の視覚を通した空間Ｓ内の把握を補助するものである。したがって、ベース照明装置１３として、一般的な、室内照明用の器具を用いることができる。ベース照明装置１３から射出する照明光Ｌｘは、特に限定されないが、白色系とすることで自然な照明を可能とすることができる。
【００４４】
照明装置２０は、壁Ｗの表面を形成する化粧シート４０と、化粧シート４０を照明する面光源装置５０と、を有している。化粧シート４０は、面光源装置５０の光射出面５０ａに対面する照明装置２０の発光面ＥＰを形成する。空間Ｓの明るさ向上を主目的としたベース照明装置１３とは別途に、照明装置２０によって、壁Ｗの表面を発光面ＥＰとして機能させることで、有限な空間Ｓに対して広がりを付与することができる。とりわけ、壁Ｗの表面の限られた範囲を発光面ＥＰとし、さらに、照明装置２０の光源となる面光源装置５０を化粧シート４０で隠蔽することができる。この工夫により、光源の存在感を効果的に薄めた状態にて、空間Ｓを演出することができ、これにより、空間Ｓの雰囲気を効果的に高めることを可能としている。
【００４５】
図２に示すように、照明装置２０は、第１〜第４の照明装置２１〜２４を含んでいる。第１照明装置２１は、第１の壁Ｗ１に設けられ、空間Ｓに光を射出する。第２照明装置２２は、第２の壁Ｗ２に設けられ、空間Ｓに光を射出する。第３照明装置２３は、第３の壁Ｗ３に設けられ、空間Ｓに光を射出する。第４照明装置２４は、第４の壁Ｗ４に設けられ、空間Ｓに光を射出する。第１照明装置２１は、第１椅子Ｃ１に着座した利用者Ｈの正面に配置されている。第２照明装置２２は、第２椅子Ｃ２に着座した利用者Ｈの正面に配置されている。
【００４６】
第１〜第４の照明装置２１〜２４は、設置位置が異なるが、同一の構成を有し得る。したがって、以下において、第１〜第４の照明装置２１〜２４に関して共通する説明については、「２０」の符号を用いて、第１〜第４の照明装置２１〜２４を区別することなく、照明装置２０に関する説明として記載する。
【００４７】
照明装置２０は、前述したように、主たる構成要素として、化粧シート４０及び面光源装置５０を有している。図示された具体例において、照明装置２０は、全体として板状に形成され、その一部またはその全部により建材パネルＢＰを構成する。図２に示すように、建材パネルＢＰは、壁本体ＷＢに重ねられ、壁本体ＷＢとともに、構造体の壁Ｗをなすようにしてもよい。このような例において、照明装置２０の構成要素の全部または一部が、建材パネルＢＰや構造体を作製するための組立キットとして取り扱われ、流通や販売されるようにしてもよい。或いは、建材パネルＢＰが、単独で、建物等をなす構造体の壁Ｗを形成するようにしてもよい。
【００４８】
図３に示された一具体例において、照明装置２０は、化粧シート４０及び面光源装置５０に加え、補助建材２７、留具２８及びボード３０を有している。図４は、図３に示された面光源装置５０を示す縦断面図である。以下、図３及び図４を主として参照しながら、照明装置２０について説明する。
【００４９】
最初に、化粧シート４０について説明する。化粧シート４０は、空間Ｓに露出している。化粧シート４０は、照明装置２０の最出光側の面を形成する。すなわち、化粧シート４０は、照明装置２０の発光面ＥＰを形成する。化粧シート４０として、建築物の壁紙、床及び天井等の内装材、車両等の移動体の内装材、家具や電気機器等の最表面を形成する部材等を用いることができる。
【００５０】
化粧シート４０は、第１領域Ｚ１及び第１領域Ｚ１に隣接する第２領域Ｚ２を含んでいる。化粧シート４０の第１領域Ｚ１は、面光源装置５０の光射出面５０ａに対面する領域である。すなわち、化粧シート４０の第１領域Ｚ１は、照明装置２０の発光面ＷＰを形成する領域である。第２領域Ｚ２は、化粧シート４０のうちの光射出面５０ａに対面する位置からずれた領域である。
【００５１】
化粧シート４０は、少なくとも発光面ＷＰを形成する第１領域Ｚ１において、可視光透過性を有している。このため、面光源装置５０の光射出面５０ａから射出した光の少なくとも一部が、化粧シート４０の第１領域Ｚ１を透過することができる。このように化粧シート４０は透過照明されることから、透過率の比較的高い白色系の壁紙が化粧シート４０として好適に用いられる。ただし、透過率の比較的低い壁紙、例えば木目調の壁紙でも十分有効に透過照明されて後述する作用効果を奏することができ、化粧シート４０の柄等は特に限定されるものではない。化粧シート４０の第１領域Ｚ１における可視光域での可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率を測定し、同規格に規定される算出式により算出したものである。
【００５２】
図３に示すように、第１領域Ｚ１及び第２領域Ｚ２は、一軸方向に配列されている。第１領域Ｚ１は、一軸方向における一方の側に位置し、第２領域Ｚ２は、一軸方向における他方の側に位置している。より具体的には、第１領域Ｚ１及び第２領域Ｚ２は、第１方向ｄ１に配列されている。この第１方向ｄ１は、図示された具体例において、鉛直方向に沿っている。第１領域Ｚ１は、第１方向ｄ１における第１側ｓ１に位置し、第２領域Ｚ２は、第１方向ｄ１における第２側ｓ２に位置している。第１方向ｄ１における第１側ｓ１は、鉛直方向における上側となっており、第１方向ｄ１における第２側ｓ２は、鉛直方向における下側となっている。すなわち、図示された例において、照明装置２０の発光面ＥＰは、天井ＣＥと床Ｆとの間において天井ＣＥに近接する側に位置している。言い換えると、照明装置２０の発光面ＥＰは、壁Ｗのうちの鉛直方向において上側に位置している。
【００５３】
次に、ボード３０について説明する。図３に示すように、ボード３０は、板状の部材である。ボード３０は、少なくとも化粧シート４０の第２領域Ｚ２に対面して配置される。化粧シート４０は、ボード３０に貼合されていてもよい。この場合、ボード３０によって、化粧シート４０を安定して支持することができる。
【００５４】
図３に示された例において、ボード３０は、第２領域Ｚ２及び第１領域Ｚ１の両方に対面して配置されている。このボード３０は、第１領域Ｚ１に対面する位置に凹部３１を設けられている。ボード３０の凹部３１内に、面光源装置５０が収容されている。図３の例によれば、ボード３０によって、面光源装置５０を安定して支持することができる。留具２８は、ボード３０に設けられており、ボード３０上に面光源装置５０を固定する。また、留具２８に加えて又は留具２８に代えて、接着剤や粘着剤などを含む接合層によって、ボード３０と面光源装置５０とを固定するようにしてもよい。
【００５５】
面光源装置５０の光射出面５０ａは、化粧シート４０の第２領域Ｚ２に対面するボード３０の表面３０ａと、同一面上に位置していることが好ましい。このように位置決めされたボード３０及び面光源装置５０上に、化粧シート４０が積層される。この場合、ボード３０の表面３０ａと面光源装置５０の光射出面５０ａとの間に段差が形成されにくくなり、化粧シート４０越しにこの段差が視認されることに起因した化粧シート４０の意匠性低下を効果的に抑制することができる。
【００５６】
ボード３０は、化粧シート４０の用途に応じて決定される。化粧シート４０が、壁、床、天井等の表面を加飾する部材をなす場合、一例として、ボード３０は、種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。化粧シート４０が、車両等の移動体の内装材をなす場合、ボード３０は、例えば樹脂製板材、或いは金屬板となる。化粧シート４０が、家具や電気製品をなす場合、ボード３０は、例えば木製板材や樹脂製板材となる。なお、照明装置２０の建材パネルＢＰへの適用において、ボード３０は、耐燃性や耐火性を有していることが好ましい。
【００５７】
なお、図３では、留具２８の図示にともなって、化粧シート４０が、ボード３０及び面光源装置５０との間に隙間を空けて図示されている。しかしながら、隙間をあけることなくボード３０及び面光源装置５０に貼合されるようにしてもよい。
【００５８】
補助建材２７は、天井ＣＥと壁Ｗとの取り合い部又は入隅部に設ける部材である。補助建材２７は、天井ＣＥと壁Ｗとのつなぎ目を覆い、意匠性を向上させる。補助建材２７として、「回り縁」や「幅木」と呼ばれる部材を用いることができる。ただし、補助建材２７を省略することも可能である。補助建材２７は、第１方向ｄ１と直交する方向に延びている。補助建材２７は、固定されていてもよいし、交換のために取り外し可能に構成されていてもよい。
【００５９】
次に、化粧シート４０を背面から照明する面光源装置５０について詳述する。面光源装置５０は、面状光を射出する光射出面５０ａを有している。図示された例において、面光源装置５０は、その光射出面５０ａが化粧シート４０の一部分のみに対面するように、位置決めされている。面光源装置５０として、面状光を射出可能な種々の装置を用いることができる。例えば、光源５１と、光源５１から射出した光を面状光に変換する光学部材５５と、を有する装置を、面光源装置５０として用いることができる。
【００６０】
ここで、主に図４を参照して、面光源装置５０の具体例について説明する。図４に示された面光源装置５０は、エッジライト型の面光源装置として構成されている。この面光源装置５０は、光源５１と、光学部材５５としての光拡散シート５６、反射シート５７及び導光板６０と、を有している。
【００６１】
光源５１は、光を発光する発光体５２を有している。発光体５２は、特に限定されることなく、光を発光する種々の部材を広く用いることができる。具体的には、例えば、冷陰極管、点状の発光ダイオード（ＬＥＤ）、白熱電球、レーザー発振装置等を、光源５１の発光体５２として、用いることができる。図示された例において、光源５１は、複数の点状の発光体５２を有している。この発光体５２は、例えば発光ダイオードによって構成される。図示された例において、複数の発光体５２は、補助建材２７によって保持されている。複数の発光体５２は、補助建材２７の長手方向である図２に示された第２方向ｄ２に沿って、間隔をあけて配列されている。なお、第２方向ｄ２は、導光板６０一つの側縁に沿っており、導光板６０の板面と平行に水平方向に延びている。補助建材２７が取り外し可能な場合、補助建材２７とともに複数の発光体５２を壁Ｗから取り外し、複数の発光体５２の一部又は全部の交換作業を行うことができる。
【００６２】
なお、照明システム１０から射出した照明光の色が、人間の心理状態に影響を及ぼすことが知られている。例えば、若草色の照明光や赤紫色の照明光を用いて空間Ｓを照明した場合、空間Ｓの利用者Ｈに活気を生じさせるとされている。同様に、藤色の照明光やあやめ色の照明光を用いた場合、利用者Ｈから眠気を取り除く効果があるとされている。また、肌色の照明光を用いた場合、利用者Ｈに集中を引き起こす効果があるとされている。さらに、檸檬色の照明光や肌色の照明光を用いた場合、利用者Ｈに快適さを付与して利用者Ｈをリラックス状態とする効果があるとされている。本実施の形態の照明システム１０は、このような照明光によって利用者Ｈの心理状態に積極的に働きかけ、利用者Ｈの心理状態に効果的に影響を及ぼすことを目的としている。
【００６３】
図示された例では、面光源装置５０の光源５１から射出する光が、照明装置２０による照明光となる。したがって、所望の心理状態を利用者Ｈに生じさせることができるよう、光源５１の発光体５２は、所望する心理状態に対応した波長域の光を射出できるよう、選択される。とりわけ、所望の色の光で照明を行うことができるよう、光源５１から放出される光の色が選択可能となっていることが好ましい。一例として、光源５１が、互いに異なる波長域の光を発光可能な複数種類の発光体５２を有するようにしてもよい。この場合、各発光体５２の出力を調整することで、加法混色により、種々の色の照明光で照明を行うことが可能となる。典型的には、光源５１が、赤色の光を射出可能な発光体と、緑色の光を射出可能な発光体と、青色の光を射出可能な発光体と、を含むことで、照明装置２０での照明光の色を、色度図上の全範囲の色から選択可能とすることが可能となる。
【００６４】
導光板６０は、一対の主面６０ａ，６０ｂと、一対の主面６０ａ，６０ｂ間に位置する側面と、を有した板状の部材である。一方の主面が出光面６０ａをなし、他方の主面が裏面６０ｂをなしている。主面６０ａ，６０ｂは、典型的には、平面視矩形形状となる。主面６０ａ，６０ｂは、第１方向ｄ１に沿って延びる一対の側縁と、第１方向ｄ１に直交する第２方向ｄ２に沿って延びる一対の側縁と、を有している。側面は、第１方向ｄ１に対向する入光面６０ｃ及び反対面６０ｄ（図２０参照）を含んでいる。
【００６５】
図４に示すように、入光面６０ｃは、第１方向ｄ１における第１側ｓ１に位置している。入光面６０ｃは、補助建材２７に沿うようにして第２方向ｄ２に延びている。そして、入光面６０ｃは、補助建材２７に保持された複数の発光体５２に対面している。複数の発光体５２は、入光面６０ｃの長手方向である第２方向ｄ２に沿って、間隔をあけて配列されている。
【００６６】
図４に示すように、光源５１から射出した光は、導光板６０に入射して導光板６０内を進む。導光板６０は、取出要素６１を含んでいる。取出要素６１は、導光板６０内を進む光Ｌ４１，Ｌ４２の進行方向を変化させる。この面光源装置５０において、光源５１から射出した光は、導光板６０に入光面６０ｃから入射し、反射とりわけ全反射することで当該導光板６０内を進む。導光板６０内を進む光Ｌ４１，Ｌ４２は、取出要素６１によって進行方向を変化させること、とりわけ散乱することで、導光板６０の一対の主面６０ａ，６０ｂに全反射臨界角度未満の入射角度で入射して導光板６０から出射することが可能となる。
【００６７】
取出要素６１で進行方向を変えられた光は、一対の主面６０ａ，６０ｂのいずれかを介して、導光板６０から出射する。導光板６０の出光面６０ａに対面して、光拡散シート５６が設けられている。導光板６０の出光面６０ａから出射した光Ｌ４１，Ｌ４２は、次に、この光拡散シート５６に入射する。光拡散シート５６は、光拡散機能を有しており、透過光に起因した輝度角度分布を整えることができる。光拡散シート５６は、面光源装置５０の光射出面５０ａを形成している。光拡散シート５６で拡散された光は、面光源装置５０から射出して化粧シート４０に向かう。光拡散シート５６には、光拡散機能を発揮し得る種々の構成を採用することができる。光拡散シート５６が有する拡散特性は、等方性であってもよいし、異方性であってもよい。
【００６８】
導光板６０の裏面６０ｂに対面して、反射シート５７が設けられている。反射シート５７は、裏面６０ｂから出射する光を反射して、導光板６０及び光拡散シート５６へ向けることができる。反射シート５７を設けることで、面光源装置５０の光射出面５０ａからの出射光量を増大させることができる。これにより、光源５１から射出した光の利用効率を向上させることができる。反射シート５７には、光反射機能を発揮し得る種々の構成を採用することができる。反射シート５７の反射特性は、正反射であってもよいし、拡散反射であってもよい。反射シート５７が有する拡散反射特性は、等方性であってもよいし、異方性であってもよい。
【００６９】
取出要素６１として、導光板６０内を進む光の進行方向を変更し得る種々の要素を用いることができる。図４に示された例において、導光板６０は、板状の導光板本体６５を有している。導光板本体６５は、導光板６０の一方の主面６０ｂを形成するようになる面として、凹凸面６５ａを有している。図示された例において、導光板６０の裏面６０ｂが、この凹凸面６５ａによって形成されている。凹凸面６５ａは、導光板本体６５に凹部６５ｂを設けることで形成されている。この例において、導光板本体６５は、可視光透過性を有した樹脂から形成され得る。
【００７０】
他の例として、取出要素６１は、図５に示すように、導光板本体６５に積層された光散乱層６６とすることができる。図５に示された例において、導光板６０は、導光板本体６５および光散乱層６６を有している。光散乱層６６は、バインダーとして機能する支持層６６ａと、支持層６６ａ内に分散した光散乱要素６６ｂと、を有している。支持層６６ａは、可視光透過性を有した樹脂から形成され得る。光散乱要素６６ｂは、反射、屈折、回折等によって、光散乱層６６内を進行する光の進行方向を変化させる機能を有している。光散乱要素６６ｂは、支持層６６ａと異なる屈折率を有していてもよいし、金属等の光反射性を有した材料によって形成されていてもよい。光散乱要素６６ｂの具体例として、金属化合物、気体を含有した多孔質物質、金属化合物を周囲に保持した樹脂ビーズ、白色微粒子、気泡、周囲と屈折率が異なる粒子が、例示され得る。図５に示された例において、出光面６０ａ及び裏面６０ｂでの反射により導光板６０内を進む光Ｌ５１，Ｌ５２は、光散乱層６６内で光散乱要素６６ｂと衝突することで進行方向を変化させ、その後、導光板６０から出射することが可能となる。
【００７１】
なお、図５の例において、光散乱層６６の支持層６６ａの屈折率は、導光板本体６５の屈折率以上となっていることが好ましい。光散乱層６６の支持層６６ａの屈折率が導光板本体６５の屈折率よりも低いと、導光板本体６５内を進む光Ｌ５３が、導光板本体６５と光散乱層６６との界面で全反射して、光散乱層６６に入射できない可能性がある。このような光Ｌ５３は、入光面６０ｃから導光板６０に入射した後、導光板本体６５内を反対面６０ｄまで進むことになる。このような光の存在は、光源５１のエネルギー効率が低下させてしまうことになる。支持層６６ａの屈折率を導光板本体６５の屈折率以上とすることで、導光板本体６５と光散乱層６６との界面での全反射を効果的に防止して、光散乱層６６が取出要素６１としてより効果的に機能し得る。
【００７２】
さらに他の例として、図６に示すように、取出要素６１として機能する光散乱要素６７が、導光板本体６５内に分散していてもよい。図６に示された導光板６０では、導光板本体６５内を進む光Ｌ６１が、光散乱要素６７に衝突することで散乱し、導光板６０から出射することができる。光散乱要素６７としては、上述した光散乱要素６６ｂと同様に構成され得る。
【００７３】
また、導光板６０は、複数種類の取出要素６１を含むようにしてもよい。図６に示された例において、導光板６０の導光板本体６５は、光散乱要素６７を含有し、さらに導光板６０の裏面６０ｂを構成する凹凸面６５ａを有している。
【００７４】
さらに、導光板６０の各領域での取出要素６１に起因した光散乱能は、一定ではなく、異なっていてもよい。すなわち、導光板６０の光散乱能が、板面に沿った各領域で変化するようにしてもよい。さらに言い換えると、導光板６０の或る領域での光散乱能は、当該領域から板面に沿ってずれた他の領域での光散乱能と異なっていてもよい。導光板６０のパネル面に沿った各領域での光散乱能を変化させることにより、各領域からの出射光量を調節することが可能となる。
【００７５】
光散乱能は、導光板６０がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、導光板６０の板面への法線方向に透過する透過ヘイズ値が、導光板６０の各領域で一定ではなく、異なる値を持つようにしてもよい。ヘイズ値［％］は、ヘイズメーター（村上色彩技術研究所製、製品番号；ＨＭ−１５０）を用いてＪＩＳ  Ｋ７１３６に準拠した方法により測定することができる。
【００７６】
図４に示すように、取出要素６１が、導光板６０の主面６０ａ，６０ｂに設けられた凹凸である場合には、板面に沿った単位面積のうちの凹凸が設けられている面積の割合、すなわち面積比を高くすることで、光散乱能を高くすることができる。また、取出要素６１が、凹部６５ｂまたは凸部によって形成された凹凸面６５ａである場合には、凹部６５ｂの深さＨ１又は凸部の高さの導光板６０の厚さＨ２に対する比の値、すなわちＨ１／Ｈ２の値を大きくすることで、光散乱能を高くすることができる。取出要素６１が、導光板６０に含有される光散乱要素６６ｂ，６７を含む場合には、導光板６０内における光散乱要素６６ｂ，６７の体積比を高めること、粒子密度を高めること、粒径を大きくすること、光散乱要素６６ｂ，６７が形成する界面の屈折率差を大きくすることで、光散乱能を高くすることができる。
【００７７】
ところで、本実施の形態では、照明装置２０の発光面ＥＰのうち、空間Ｓに向けて光を実際に放出している発光領域ＬＺを変更することができる。とりわけ本実施の形態では、空間Ｓの利用者Ｈの状態、例えば心理状態、作業状態等に応じて発光領域ＬＺを変更することで、利用者Ｈの状態に応じた適切な心理作用を及ぼすことが可能となっている。
【００７８】
例えば、図示された照明装置２０は、エッジライト型の面光源装置として構成されている。上述したように、導光板６０内を第１方向ｄ１における一側ｓ１から他側ｓ２に向けて進む光Ｌ４１，Ｌ４２，Ｌ５１，Ｌ５２は、取出要素６１から作用を及ぼされて、導光板６０から射出する。このような面光源装置５０では、光源５１から導光板６０内へ入射する光量が少ないと、光は、導光板６０の反対面６０ｄまで到達しない。すなわち、光源５１の発光体５２からの光量を調節することで、発光面ＥＰのうちの発光領域ＬＺの大きさを調節することができる。
【００７９】
より具体的には、光源５１の発光体５２の出力が高いと、導光板６０内に多量の光が入り、導光板６０の出光面６０ａの全域から光が出射する。このとき、発光面ＥＰの全域を、発光領域ＬＺとすることができる。一方、光源５１の発光体５２の出力が低いと、導光板６０内に小量の光が入り、導光板６０の出光面６０ａのうちの第１方向ｄ１における一側ｓ１の領域のみから光が出射する。このとき、発光面ＥＰのうちの第１方向ｄ１における一側ｓ１の領域のみを、発光領域ＬＺとすることができる。すなわち、図示された照明装置２０では、光源５１の発光体５２からの出射光量を制御することで、発光領域ＬＺを、発光面ＥＰの第１方向ｄ１における一側ｓ１の端から、第１方向ｄ１におけるどの位置までとするかを、制御することができる。さらに以下えると、発光面ＥＰの第１方向ｄ１における一側ｓ１の端からはじまる発光領域ＬＺの第１方向ｄ１に沿った長さを、発光体５２からの出射光量を調節することで、制御することができる。
【００８０】
また、図示された面光源装置５０を用いた場合、光射出面５０ａの或る一定面積の領域から射出する出射光量が、光射出面５０ａ上で分布を持つようにすることができる。これにともなって、発光面ＥＰの或る一定面積の領域から射出する出射光量が、発光面ＥＰ上で分布を持つことになる。出射光量の発光面ＥＰ上で分布は、上述した取出要素６１の光散乱能を導光板６０内で変化させることにより、制御可能である。一例として、発光面ＥＰの一定面積の領域からの出射光量は、第１方向ｄ１における光源５１に近接する一側ｓ１において多くなる。逆に、発光面ＥＰの一定面積の領域からの出射光量は、第１方向ｄ１における光源５１から離間する他側ｓ２において少なくなる。すなわち、発光面ＥＰの或る一定面積の領域からの出射光量は、当該領域よりも空間Ｓを区画する天井ＣＥに近接する発光面ＥＰの他の或る一定面積の領域からの出射光量よりも少なくなる。さらには、発光面ＥＰの任意に選択される一定面積の領域からの出射光量は、当該領域よりも空間Ｓを区画する天井ＣＥに近接する発光面ＥＰの他の一定面積の領域からの出射光量以下となる。
【００８１】
なお、発光面ＥＰの一定面積の領域から射出する光の光量は、発光面ＥＰ上にセンサを密着させて測定される照度［ｌｘ］の測定結果によって評価することができる。照度の測定には、（株）ティアンドデイ社製照度計ＴＲ−７４Ｕｉを用いる。
【００８２】
次に、制御装置１５及び検出センサ１８について説明する。図７は、照明システム１０を示すブロック図である。図７に示すように、検出センサ１８は、制御装置１５と電気的に接続している。また、制御装置１５は、第１〜第４照明装置２１〜２４とも電気的に接続している。制御装置１５は、検出センサ１８での検出結果に基づいて第１〜第４照明装置２１〜２４を制御する。
【００８３】
まず、検出センサ１８は、空間Ｓの利用者Ｈの状態を検出する。利用者Ｈの状態としては、心理状態や作業状態を例示することができる。心理状態としては、眠気を生じている状態、集中している状態、気が散って散漫になっている状態、警戒または緊張した状態、リラックスまたは落ち着いている状態等を例示することができる。また、作業状態としては、コンピュータ等の小型機器を操作している状態や勉強している状態、本を読んでいる状態、会話、議論、打ち合わせを行っている状態等を例示することができる。
【００８４】
検出センサ１８として、利用者Ｈの瞬きの動作、瞬き回数、瞳孔の状態、視線の方向、顔の動作の一以上を検出する。瞳孔の状態を検出することで、利用者Ｈが眠気を生じている状態や集中している状態を把握することができる。瞬きの動作、瞬き回数、視線の向き、を検出することで、利用者Ｈの気が散って散漫になっている状態や、利用者が警戒または緊張している状態を検出することができる。視線の方向や顔の動作等を検出することで、利用者Ｈが集中している状態を検出することができる。瞳孔の状態、視線の方向、顔の動作等を検出することで、利用者Ｈがリラックスまたは落ち着いている状態を検出することができる。また、視線の方向や顔の動作等を検出することで、利用者の作業内容を把握することができる。
【００８５】
このような検出センサ１８として、利用者Ｈを撮像する撮像装置を用いることができる。撮像装置としては、カメラやスマートグラスを用いることができる。撮像装置によれば、上述した利用者Ｈの動作に加えて、顔色の変化、体温、心拍数等を検出することも可能となる。図１及び図２に示された例では、天井ＣＥ及び第１〜第４の壁Ｗ１〜Ｗ４の各々に、検出センサ１８が設けられている。例えば、複数の検出センサ１８は、第１椅子Ｃ１及び第２椅子Ｃ２に着座した利用者Ｈの状態を検出可能となっている。
【００８６】
また、検出センサ１８として、視線の向きを検出する視線センサや、脳波を検出する脳波計を利用することができる。脳波計は、脳波に基づき好奇心、ストレス、集中、沈静、快適、嫌悪、爽快等の感性を分析する感性アナライザとして機能させることができる。複数種類のセンサを、検出センサ１８として、照明装置２０に組み込むことにより、利用者Ｈの状態をより正確に把握することができる。さらに、検出センサ１８として、人間の状態、例えば体調を検出する種々の手段、例えば、心拍数、脈拍、筋電位等を測定する手段を用いることができる。そして、検出センサ１８は、空間Ｓの利用者Ｈに装着または搭載されるようにしてもよい。
【００８７】
また、図示された例において、検出センサ１８は、空間Ｓ内における利用者Ｈの有無を検出可能となっている。検出センサ１８は、利用者Ｈの顔や姿を撮像することや、利用者Ｈの体温を検出することで、利用者Ｈの有無を検出することができる。
【００８８】
次に、制御装置１５について説明する。制御装置１５は、照明装置２０の照明光の射出を制御する。とりわけ本実施の形態において、制御装置１５は、発光領域ＬＺの大きさを制御することができる。制御装置１５は、例えば、図示しない電源から面光源装置５０の各発光体５２に供給される電力を制御することで、各発光体５２からの出力を制御することができる。
【００８９】
図示された照明装置２０において、発光面ＥＰのうちの、第１方向ｄ１における一側ｓ１となる端部から第１方向ｄ１に沿った或る長さまでの領域が、実際に発光する発光領域ＬＺとなる。そして、各発光体５２の出力を調整することで、発光領域ＬＺの第１方向ｄ１に沿った長さを調節することができる。具体的には、各発光体５２の出力を上げることで、発光領域ＬＺの第１方向ｄ１に沿った長さが長くなり、各発光体５２の出力を下げることで、発光領域ＬＺの第１方向ｄ１に沿った長さが短くなる。
【００９０】
また、制御装置１５は、各発光体５２の出力を調節することで、照明光の色を制御することができる。上述したように、照明装置２０の光源５１が、異なる波長域の光を発光可能な複数種類の発光体５２を含んでいる。この場合、加法混色により、照明光の色を種々の色に制御することができる。したがって、制御装置１５が各発光体５２の出力を調節することで発光色を変化させ、発光面ＥＰの発光領域ＬＺを所望とする色で色付かせることができる。既に言及したように、照明光の色に応じて、利用者Ｈに所定の心理状態を引き起こすことができる。
【００９１】
制御装置１５の具体的な態様は特に限定されない。一例として、図７に示される制御装置１５は、記憶部１５ａと、計算部１５ｂと、射出制御部１５ｃと、を有している。記憶部１５ａには、制御装置１５が照明装置２０による光の射出を制御するために用いる情報が記憶されている。例えば、記憶部１５ａには、利用者Ｈの各状態に応じた好ましい発光領域ＬＺの大きさや、利用者Ｈの各状態に応じた好ましい照明光の色等が記憶されていてもよい。計算部１５ｂは、記憶部１５ａに記憶されている情報に基づいて、照明装置２０に含まれる各発光体５２の発光出力を計算する。射出制御部１５ｃは、計算部１５ｂで計算された発光出力で発光体５２が発光するよう、照明装置２０の発光体５２への供給電源を調節する。
【００９２】
制御装置１５は、例えば、電源から光源５１の発光体５２に電力を供給する電気回路に組み込まれ、電気回路の回路素子の動作を制御する制御回路や、制御回路の処理に用いるデータが記憶された記憶装置などのハードウェアで構成される。制御装置１５の少なくとも一部をソフトウェアで構成してもよい。
【００９３】
制御装置１５は、その全てが建材パネルＢＰの外部に設けられていてもよく、あるいは、その少なくとも一部が建材パネルＢＰの内部や天井ＣＥ裏に設けられていてもよい。また、制御装置１５は、その一部の構成部が、他の構成部との間でネットワークを通じた通信によって連携可能であってもよい。また、制御装置１５は、その一部の構成部が、他の構成部との間で外部ネットワークを通じて通信可能な装置、例えばクラウド上のサーバやデータベース上にあってもよい。さらに、制御装置１５が、互いに異なる空間Ｓを照明する複数の照明装置２０と、インターネット等のネットワークを通じて接続されていてもよい。この例において、一つの制御装置１５が、互いに離間した空間Ｓでの照明を制御することができる。
【００９４】
次に、以上の構成からなる照明システム１０の照明方法について説明する。
【００９５】
本実施の形態では、空間Ｓの利用者Ｈが第１状態にある場合に発光面ＥＰのうちの実際に発光している発光領域ＬＺが、利用者Ｈが第１状態とは異なる第２状態にある場合に発光面ＥＰのうちの実際に発光している発光領域ＬＺと異なるようになる。
【００９６】
照明装置２０の照明光の色は空間Ｓの利用者Ｈの心理状態に影響を及ぼし得ることが知られている。例えば、若草色や赤紫色は、「活気」や「積極性」を引き起こすよう人間の心理状態に作用する。また、藤色やあやめ色は、「眠気」を取り除くよう人間の心理状態に作用する。
【００９７】
さらに、本件発明者らが検討を重ねたところ、人間が照明装置２０の発光面ＥＰ上の色を意識できる場合、すなわち人間が発光面ＥＰの色に気付くことができる場合に、人間の心理状態に大きな影響をもたらし、当該人間の心理状態を目標とする心理状態に迅速に導くことができた。その一方で、人間が色を意識できる発光面ＥＰ上の意識影響範囲ＸＡだけでなく、意識影響範囲ＸＡ以外となる発光面ＥＰ上の領域、すなわち無意識影響範囲ＹＡから射出する光の色によっても、人間の心理状態に影響を及ぼし得ることが確認された。人間は、眼にたどり着いた照明光Ｌｙの色によって、無意識的に影響を受け、当該照明光Ｌｙの色に対応した所定の心理状態に導かれるようになる。そして、発光面ＥＰ上の発光領域ＬＺを無意識影響範囲ＹＡ内のみとした場合、目標とする心理状態が得られた後に、当該心理状態を継続して維持することに極めて有効であった。また、無意識影響範囲ＹＡのみから照明光Ｌｙを射出する場合、人間は発光面ＥＰ上の色付いた範囲を視界に入れることがなく、気が散ってしまうことも効果的に防止することができる。
【００９８】
したがって、照明装置２０によって照明される空間Ｓの利用者Ｈの状態に応じて、発光面ＥＰのうちの発光領域ＬＺの大きさを変更することで、当該利用者Ｈの心理状態に対して効果的に働きかけていくことができる。
【００９９】
以下、いくつかの具体例に基づいて、本実施の形態の照明方法について更に詳述する。ただし、以下に説明する複数の具体例において、同一部分または同様な機能を有する部分には同一の符号または類似の符号を付し、その繰り返しの説明は省略することがある。
【０１００】
なお、以下に説明する具体例は、上述してきた照明装置２０を用いた照明方法である。ただし、以下の説明および以下の説明で参照する図では、第１椅子Ｃ１の着座した利用者Ｈの心理状態に対し、当該利用者に対面して配置された第１照明装置２１を用いて働きかける例を示す。これらの例において、第２〜第４照明装置２２〜第４照明装置２４は、第１照明装置２１と同一の大きさの発光領域ＬＺから、第１照明装置２１と同一の色で光を射出するようにしてもよい。或いは、第２〜第４照明装置２２〜第４照明装置２４からは、光の射出を停止するようにしてもよい。
【０１０１】
（第１例）
まず、図８〜図１０を参照して、第１例について説明する。
【０１０２】
図８及び図９に示された第１例において、検出センサ１８は、まず、空間Ｓ内における利用者Ｈの有無を検出することができる。また、検出センサ１８は、第１状態として、空間Ｓの利用者Ｈが眠気を感じている状態を検出する。検出センサ１８は、一例として、瞼の位置や瞼の動きを観察することによって、眠気を感じているか否かを検出することができる。
【０１０３】
制御装置１５は、空間Ｓ内に利用者Ｈが居ることを検出センサ１８が検出した場合、ベース照明装置１３及び照明装置２０を点灯する。このとき、ベース照明装置１３は、一例として、自然光と同一色の照明光Ｌｘを射出する。これにより、空間Ｓ内は、自然な感じで明るくなる。一方、照明装置２０は、目標とする心理状態を引き起こす色の照明光Ｌｙを発光面ＥＰから射出する。本例では、照明装置２０は、眠気を取り除く効果が有るとされる藤色の光またはアヤメ色の光を射出するよう、各発光体５２の出力を調整する。
【０１０４】
なお、空間Ｓ内を明るくすることを目的としたベース照明装置１３からの出射光量は、利用者Ｈの心理に働きかけて利用者Ｈに目標とする心理状態を生じさせることを目的とした照明装置２０からの出射光量よりも多く設定される。
【０１０５】
制御装置１５は、利用者Ｈが第１状態にあり眠気を感じていることを検出センサ１８が検出した場合、検出センサ１８が利用者Ｈが眠気を感じているとは検出していない第２状態と異なる大きさに発光領域ＬＺを設定する。とりわけ第１例において、制御装置１５は、図８に示すように、利用者Ｈが眠気を感じている第１状態にある場合、発光面ＥＰのうちの第１発光領域ＬＺ１から照明光Ｌｙを射出する。制御装置１５は、図９に示すように、利用者Ｈが眠気を感じていない第２状態にある場合、発光面ＥＰのうちの第２発光領域ＬＺ２から照明光Ｌｙを射出する。
【０１０６】
第１発光領域ＬＺ１及び第２発光領域ＬＺ２は、第１の壁Ｗ１に沿って広がる領域である。図８及び図９に示すように、第１発光領域ＬＺ１及び第２発光領域ＬＺ２は、第１方向ｄ１に沿って広がっている。第１発光領域ＬＺ１の第１方向ｄ１に沿った長さは、第２発光領域ＬＺ２の第１方向ｄ１に沿った長さよりも長くなっている。また、第１発光領域ＬＺ１及び第２発光領域ＬＺ２は、図８及び図９における紙面の奥行き方向に沿った第２方向ｄ２にも広がっている。第１発光領域ＬＺ１の第２方向ｄ２に沿った長さは、第２発光領域ＬＺ２の第２方向ｄ２に沿った長さと同一となっている。結果として、第１発光領域ＬＺ１は、第２発光領域ＬＺ２よりも広くなっている。
【０１０７】
ここで、図８及び図９、並びに、後述する図１１〜１６には、第１椅子Ｃ１に着座した利用者Ｈが、発光面ＥＰ上において色を意識することができる範囲である意識影響範囲ＸＡが示されている。また、これらの図では、色を意識することができる角度範囲が、二つの直線Ｌａ，Ｌｂで挟まれた範囲として示されている。利用者Ｈは、空間Ｓ内における各状態において、意識影響範ＸＡ内での色の変化に気付くことができる。逆に、意識影響範囲ＸＡ外となる無意識影響範囲ＹＡでの色の変化に、利用者Ｈは気付くことはできない。図８及び図９に示すように、眠気のある第１状態での意識影響範囲ＸＡと、眠気のない第２状態での意識影響範囲ＸＡは、異なっている。眠気のある第１状態での意識影響範囲ＸＡは、本件発明者らが実験を行ったところ、利用者の眼の位置から水平方向を基準として仰角１０°以下且つ俯角１０°以下で見込む範囲内に位置すると考えることができた。また、眠気のない通常状態としての第２状態での意識影響範囲ＸＡは、利用者の眼の位置から水平方向を基準として仰角３０°以下且つ俯角３０°以下で見込む範囲内に位置すると考えることができた。
【０１０８】
そして、図８に示すように、眠気を感じる第１状態において、発光領域ＬＺは意識影響範囲ＸＡ内まで広がっている。すなわち、眠気を感じている利用者Ｈは、発光面ＥＰ内における照明光Ｌｙに起因して発光面ＥＰの色付きに気付くことができる。本件発明者らが検討を重ねたところ、人間が照明装置２０の発光面ＥＰ上の色を意識できる場合、すなわち人間が発光面ＥＰの色に気付くことができる場合に、人間の心理状態に大きな影響をもたらし、当該人間の心理状態を目標とする心理状態に迅速に導くことができた。したがって、利用者Ｈが第１状態にある場合、利用者Ｈは、照明光Ｌｙの色に起因した心理効果を強く受けるようになる。つまり、図示された例においては、眠気を感じている利用者Ｈから、眠気を積極的に取り除くことが可能となる。
【０１０９】
その一方で、本件発明者らが検討を重ねたところ、人間が色を意識できる発光面ＥＰ上の意識影響範囲ＸＡだけでなく、意識影響範囲ＸＡ以外となる発光面ＥＰ上の領域、すなわち無意識影響範囲ＹＡから射出する光の色によっても、人間の心理状態に影響を及ぼし得ることが確認された。無意識影響範囲ＹＡから射出した光も、反射等によって、利用者Ｈの眼にたどり着くことができる。利用者Ｈは、眼にたどり着いた照明光Ｌｙの色によって、無意気的に影響を受け、当該照明光の色に対応した所定の心理状態に導かれるようになる。とりわけ発光面ＥＰ上の発光領域ＬＺを無意識影響範囲ＹＡ内のみとした場合、目標とする心理状態が得られた後に、当該心理状態を継続して維持することに極めて有効であった。また、無意識影響範囲ＹＡのみから照明光を射出する場合、人間は発光面ＥＰ上の色付いた範囲を視界に入れることがない。このことから、気が散ってしまうことも効果的に防止することができる。つまり、図示された例においては、眠気を感じていない利用者Ｈが、眠くなることを効果的に継続して防止することが可能となる。
【０１１０】
図８及び図９に示された第１例においては、利用者Ｈの第１状態及び第２状態との間での意識影響範囲ＸＡの変動にともなって、発光領域ＬＺも変動している。より正確には、利用者Ｈの第１状態及び第２状態との間での意識影響範囲ＸＡの第１方向ｄ１における一側ｓ１縁の変動にともなって、第１状態から第２状態へと意識影響範囲ＸＡの第１方向ｄ１における他側ｓ１縁が変動している。結果として、利用者Ｈの第１状態から第２状態へと意識影響範囲ＸＡが広がる一方で、第１状態から第２状態へと発光領域ＬＺは狭くなっている。
【０１１１】
なお、図９に示すように、利用者Ｈの第１状態及び第２状態との間での意識影響範囲ＸＡの第１方向ｄ１における一側ｓ１縁の変動量ＡＣ１は、第１状態から第２状態へと発光領域ＬＺの第１方向ｄ１における他側ｓ１縁の変動量ＡＣ２よりも小さくなっている。これにより、第１状態で意識影響範囲ＸＡ内に位置しいていた発光領域ＬＺの第１方向ｄ１における他側ｓ１縁は、第１状態で意識影響範囲ＸＡ外に位置するようになる。
【０１１２】
ところで、照明装置２０からの出射光量が多いと、発光領域ＬＺを無意識影響範囲ＹＡ内のみに設定したとしても、利用者Ｈは照明光Ｌｙから色味を感じ、顔や視線を動かして、発光面ＥＰを目視確認することにもなる。そこで、空間Ｓ内におけるテーブルＴ上で照度測定を行った場合、空間Ｓに設置されたすべての照明装置２０，２１〜２４からの照明光Ｌｙに起因した照度が、ベース照明装置１３からの照明光Ｌｘに起因した照度よりも低いことが好ましく、ベース照明装置１３からの照明光Ｌｘに起因した照度の３０％以下であることが好ましく、さらにはベース照明装置１３からの照明光Ｌｘに起因した照度の１５％以下であることがより好ましい。同様に、空間Ｓ内において利用者Ｈが滞在することが予定された位置で照度測定を行った場合、空間Ｓに設置されたすべての照明装置２０，２１〜２４からの照明光Ｌｙに起因した照度が、ベース照明装置１３からの照明光Ｌｘに起因した照度よりも低いことが好ましく、ベース照明装置１３からの照明光Ｌｘに起因した照度の３０％以下であることが好ましく、さらにはベース照明装置１３からの照明光Ｌｘに起因した照度の１５％以下であることがより好ましい。なお、空間Ｓ内において利用者Ｈが滞在することが予定された位置とは、図示された例において、利用者Ｈが第１椅子Ｃ１や第２椅子Ｃ２に着座した場合における利用者Ｈの顔の位置を例示することができる。また、空間Ｓに設置されたすべての照明装置２０，２１〜２４からの照明光Ｌｙに起因した照度は、照明装置２０，２１〜２４以外の照明器具類を消灯し、照明装置２０，２１〜２４のみを点灯した状態で測定された輝度である。同様に、ベース照明装置１３からの照明光Ｌｘに起因した照度は、ベース照明装置１３以外の照明器具類を消灯し、ベース照明装置１３のみを点灯した状態で測定された輝度である。
【０１１３】
加えて、照明装置２０の発光面ＥＰが空間Ｓ内の家具等に映り込むと、発光領域ＬＺを無意識影響範囲ＹＡ内のみに設定したとしても、利用者Ｈが映り込んだ発光領域ＬＺを観察することも考えられる。したがって、空間Ｓに配置される家具、典型的には、テーブルＴの天板表面での光沢度が、０以上７０以下となっていることが好ましく、０以上３０以下となっていることがより好ましい。ここで、光沢度とは、ＪＩＳＺ８７４１に準拠して日本電色工業製の（光沢計ＶＧ７０００）を用いて測定された値である。光沢度をこのように設定することで、意図せず、利用者Ｈが発光領域ＬＺの色を意識してしまうことを防止することができる。
【０１１４】
ここで、図１０は、第１例における照明システム１０の動作を説明するためのフローチャートである。図１０を参照して、照明システム１０の動作例について説明する。
【０１１５】
上述したように、利用者Ｈが空間Ｓに滞在している場合、まず、制御装置１５は、照明光Ｌｘを射出するようにベース照明装置１３を制御する。次に、図１０に示すように、ステップＳ１において、利用者Ｈが第１状態であるか否かを判断する。具体的には、検出センサ１８の検出結果に基づき、利用者Ｈが第１状態にあるか否かを判断する。この判断は、例えば、制御装置１５の計算部１５ｂが、検出センサ１８での検出結果と、制御装置１５の記憶部１５ａに記憶された判断基準情報と、に基づいて行う。
【０１１６】
なお、図示された例では、会議室を構成する空間Ｓ内において、利用者Ｈは、通常であれば、第１椅子Ｃ１または第２椅子Ｃ２に着座し、テーブルＴを用いて何らかの作業を行う。したがって、第１椅子Ｃ１または第２椅子Ｃ２に着座した利用者Ｈの瞬きや瞼の位置を確認することで、利用者Ｈが眠気を生じた第１状態にあるか否かを判断することができる。
【０１１７】
次に、ステップＳ１で、利用者Ｈが第１状態にあると判断された場合、制御装置１５の射出制御部１５ｃが、照明装置２０の発光体５２に電力を供給して、照明装置２０の発光領域ＬＺのうちの第１発光領域ＬＺ１から照明光Ｌｙを射出させるようにする。このときの照明光Ｌｙは、目標とする心理状態を生じさせる色となるよう、調節される。眠気を取り除くことを目標とする図示の例では、一例として、藤色やあやめ色の照明光Ｌｙが光源５１から射出される。
【０１１８】
その後、ステップＳ３として、利用者Ｈが空間Ｓに滞在している否かを判断する。ステップＳ３は、ステップＳ２が終了した後に、所定時間の経過を待って実行される。具体的には、検出センサ１８の検出結果に基づき、利用者Ｈが空間Ｓに滞在しているか否かを判断する。この判断は、例えば、制御装置１５の計算部１５ｂが、検出センサ１８での検出結果と、制御装置１５の記憶部１５ａに記憶された判断基準情報と、に基づいて行う。図示された例では、会議室を構成する空間Ｓ内において、利用者Ｈは、通常であれば、第１椅子Ｃ１または第２椅子Ｃ２に着座し、テーブルＴを用いて何らかの作業を行う。したがって、第１椅子Ｃ１または第２椅子Ｃ２に着座した利用者Ｈの有無を検出することによって、利用者Ｈの有無を判断することができる。
【０１１９】
次に、ステップＳ３で、利用者Ｈが空間Ｓに滞在していると判断された場合、ステップＳ４に進む。ステップＳ４では、再度、利用者Ｈが第１状態にあるか否かを判断する。ステップＳ４で利用者Ｈが第１状態にあると判断された場合、例えば所定時間が経過した後、再度、ステップＳ３が実行され、利用者Ｈの有無が確認される。
【０１２０】
一方、ステップＳ１及びステップＳ４において、利用者Ｈが第１状態ではないと判断された場合、ステップＳ５として、制御装置１５の射出制御部１５ｃが、照明装置２０の発光体５２に電力供給を調節して、照明装置２０の発光領域ＬＺのうちの第２発光領域ＬＺ２から照明光Ｌｙを射出させるようにする。このときの照明光Ｌｙは、目標とする心理状態を生じさせる色に、調整される。眠気を取り除くことを目標とする図示の例では、一例として、第１発光領域ＬＺ１から照明光Ｌｙを射出させる場合と同様に、藤色やあやめ色の照明光Ｌｙを第２発光領域ＬＺ２から射出する。
【０１２１】
その後、ステップＳ６として、利用者Ｈが空間Ｓに滞在している否かを判断する。ステップＳ６は、ステップＳ５が終了した後に、所定時間の経過を待って実行される。ステップＳ６で、利用者Ｈが空間Ｓに滞在していると判断された場合、ステップＳ７に進む。ステップＳ７では、再度、利用者Ｈが第１状態にあるか否かを判断する。ステップＳ７で利用者Ｈが第１状態にないと判断された場合、例えば所定時間が経過した後、再度、ステップＳ６が実行され、利用者Ｈの有無が確認される。ステップＳ７で利用者Ｈが第１状態にある判断された場合、ステップＳ１で利用者Ｈが第１状態にある判断された場合と同様に、ステップＳ２が実行される。これにより、発光面ＥＰ上の発光領域ＬＺが、第２発光領域ＬＺ２から第１発光領域ＬＺ１へと切り替えられる。
【０１２２】
一方、ステップＳ３及びステップＳ６において、利用者Ｈが空間Ｓに居ないと判断された場合、ステップＳ８において、照明装置２０の発光面ＥＰからの照明光Ｌｙの射出が停止する。具体的には、制御装置１５の射出制御部１５ｃが、照明装置２０の発光体５２への電力供給を停止する。
【０１２３】
以上に説明した第１例によれば、空間利用者Ｈの状態に応じて、発光面ＥＰ上の発光している発光領域ＬＺが変化する。発光領域ＬＺの大きさに応じて、空間利用者Ｈの心理状態への影響の及ぼし方が変わる。したがって、利用者Ｈの状態に応じた適切な心理作用を空間利用者Ｈに及ぼすことができる。これにより、例えばこの空間Ｓ内での利用者Ｈの作業効率を向上させることができる。
【０１２４】
なお、上述の説明では、検出センサ１８が眠気のある第１状態を検出する例を示したが、これに限られない。検出センサ１８が、眠気のある第１状態に代えて又は眠気のある第１状態に加えて、眠気のない第２状態を検出可能としてもよい。
【０１２５】
また、以上の説明において、空間Ｓの利用者Ｈは、一人で、第１椅子Ｃ１に着座している例とした。そして、第１椅子Ｃ１に着座した利用者Ｈの意識影響範囲ＸＡが広がる第１照明装置２１の発光面ＥＰでの発光領域ＬＺを、当該利用者Ｈの状態に応じて変化させるようにした。この例において、第２〜第４照明装置２２〜２４の発光面ＥＰでの発光領域ＬＺは、利用者Ｈの状態に応じて変化させるようにしてもよいし、或いは、利用者Ｈの状態に依らずに一定としてもよいし、あるいは、第２〜第４照明装置２２〜２４を消灯してもよい。ただし、第２〜第４照明装置２２〜２４の発光面ＥＰの少なくとも一部が意識影響範囲ＸＡに位置するのであれば、上述した第１照明装置２１と同様にして、第２〜第４照明装置２２〜２４の発光領域ＬＺを意識影響範囲ＸＡ及び無意識影響範囲ＹＡに対して変化させることが好ましい。なお、第２〜第４照明装置２２〜２４の取り扱いについては、後述する他の例においても、第１例と同様にすることができる。
【０１２６】
（第２例）
次に、図１１及び図１２を参照して、第２例について説明する。第２例は、主として、検出されるべき利用者Ｈの状態、利用者に生じさせることを目標とする心理状態、各状態での発光領域ＬＺが、第１例と異なり、その他の点において、第１例と同一とすることができる。以下では、第１例と異なる点について主として説明する。
【０１２７】
図１１及び図１２に示された第２例において、検出センサ１８は、第１状態として、集中した状態を検出することができる。検出センサ１８は、一例として、瞼等の顔の動きや視線の向き等を観察することによって、利用者Ｈが集中しているか否かを検出することができる。照明装置２０は、目標とする心理状態を引き起こす色の照明光Ｌｙを発光面ＥＰから射出する。本例では、照明装置２０は、集中している場合に集中を継続することを目的として、集中していない場合に集中を促すことを目的として、肌色の照明光Ｌｙを射出するよう、各発光体５２の出力を調整する。
【０１２８】
第２例においても、制御装置１５は、図１１に示すように利用者Ｈが第１状態にある場合に第１発光領域ＬＺ１から照明光Ｌｙを射出し、図１２に示すように利用者Ｈが第２状態にある場合に第２発光領域ＬＺ２から照明光Ｌｙを射出する。図１１及び図１２に示すように、第１発光領域ＬＺ１の第１方向ｄ１に沿った長さは、第２発光領域ＬＺ２の第１方向ｄ１に沿った長さよりも長くなっている。すなわち、第２例において、第１発光領域ＬＺ１は、第２発光領域ＬＺ２よりも広くなっている。
【０１２９】
図１１及び図１２に示すように、集中した第１状態での利用者Ｈの意識影響範囲ＸＡと、通常状態にある又は散漫した状態にある第２状態での意識影響範囲ＸＡは、異なっている。集中状態である第１状態での意識影響範囲ＸＡは、本件発明者らが実験を行ったところ、利用者の眼の位置から水平方向を基準として仰角１０°以下且つ俯角１０°以下で見込む範囲内に位置すると考えることができた。また、通常状態または散漫状態である第２状態での意識影響範囲ＸＡは、利用者の眼の位置から水平方向を基準として仰角３０°以下且つ俯角３０°以下で見込む範囲内に位置すると考えることができた。
【０１３０】
図１１に示すように、集中した第１状態において、発光領域ＬＺは意識影響範囲ＸＡ内まで広がっておらず、無意識影響範囲ＹＡ内のみに位置している。すなわち、集中状態にある利用者Ｈは、発光面ＥＰ内における照明光Ｌｙに起因した色付きに気付かない。したがって、利用者Ｈは発光面ＥＰ上の色付いた範囲を視界に入れることがなく、気が散ってしまうことも効果的に防止することができる。
【０１３１】
その一方で、利用者Ｈは、眼にたどり着いた照明光Ｌｙの色によって、無意気的に影響を受け、当該照明光Ｌｙに色に対応した所定の心理状態に導かれるようになる。とりわけ発光面ＥＰ上の発光領域ＬＺが無意識影響範囲ＹＡ内のみとなっているので、目標とする心理状態が得られた後に、当該心理状態を継続して維持することに極めて有効である。つまり、図示された例においては、集中した利用者Ｈが、集中した状態を効果的に継続して維持することが可能となる。
【０１３２】
図１２に示すように、通常状態または散漫した第２状態において、発光領域ＬＺは意識影響範囲ＸＡ内まで広がっている。このとき、利用者Ｈは、発光面ＥＰ内における照明光Ｌｙに起因した色付きに気付くことができる。したがって、利用者Ｈが第２状態にある場合、利用者Ｈは、照明光Ｌｙの色に起因した心理効果を強く受けるようになる。つまり、図示された例において、利用者Ｈは、集中した状態に有効に導かれることになる。
【０１３３】
図１１及び図１２に示された第２例では、第１例と同様に、利用者Ｈの第１状態から第２状態へと意識影響範囲ＸＡが広がる一方で、第１状態から第２状態へと発光領域ＬＺは狭くなっている。ただし、第１例とは異なり、第２例では、発光領域ＬＺの変化量は小さくなっている。図１２に示すように、利用者Ｈの第１状態及び第２状態との間での意識影響範囲ＸＡの第１方向ｄ１における一側ｓ１縁の変動量ＡＣ１は、第１状態から第２状態へと発光領域ＬＺの第１方向ｄ１における他側ｓ１縁の変動量ＡＣ２よりも大きくなっている。これにより、第１状態で意識影響範囲ＸＡ外に位置しいていた発光領域ＬＺの第１方向ｄ１における他側ｓ１縁は、第２状態で意識影響範囲ＸＡ内に位置するようになる。
【０１３４】
以上に説明した第２例によれば、空間利用者Ｈの状態に応じて、発光面ＥＰ上の発光している発光領域ＬＺが変化する。発光領域ＬＺの大きさに応じて、空間利用者Ｈの心理状態への影響の及ぼし方が変わる。したがって、利用者の状態に応じた適切な心理作用を空間利用者に及ぼすことができる。これにより、例えばこの空間Ｓ内での利用者Ｈの作業効率を向上させることができる。
【０１３５】
なお、上述の説明では、検出センサ１８が集中状態にある第１状態を検出する例を示したが、これに限られない。検出センサ１８が、集中状態にある第１状態に代えて又は集中状態にある第１状態に加えて、通常状態または散漫状態にある第２状態を検出可能としてもよい。
【０１３６】
また、照明システム１０の詳細な動作および照明方法については、第１例において図１０を参照しながら詳述した動作および方法と同様とすることができる。
【０１３７】
（第３例）
次に、図１３及び図１４を参照して、第３例について説明する。第３例は、主として、検出されるべき利用者Ｈの状態、利用者に生じさせる目標とする心理状態、各状態での発光領域ＬＺが、第１例及び第２例と異なり、他の点において、第１例又は第２例と同一とすることができる。以下では、第１例及び第２例と異なる点について主として説明する。
【０１３８】
図１３及び図１４に示された第３例において、検出センサ１８は、第２状態として、警戒または緊張した状態を検出することができる。検出センサ１８は、一例として、顔の動きや視線の向き等を観察することによって、利用者Ｈが警戒または緊張しているか否かを検出することができる。照明装置２０は、目標とする心理状態を引き起こす色の照明光Ｌｙを発光面ＥＰから射出する。本例では、照明装置２０は、警戒または緊張している場合に警戒または緊張から解放してリラックスさせることを目的として、警戒または緊張していない場合にリラックスした状態を維持することを目的として、檸檬色の照明光Ｌｙを射出するよう、各発光体５２の出力を調整される。
【０１３９】
第３例においても、制御装置１５は、図１３に示すように利用者Ｈが第１状態にある場合に第１発光領域ＬＺ１から照明光Ｌｙを射出し、図１４に示すように利用者Ｈが第２状態にある場合に第２発光領域ＬＺ２から照明光Ｌｙを射出する。図１３及び図１４に示すように、第１発光領域ＬＺ１の第１方向ｄ１に沿った長さは、第２発光領域ＬＺ２の第１方向ｄ１に沿った長さよりも短くなっている。すなわち、第３例において、第１発光領域ＬＺ１は、第２発光領域ＬＺ２よりも狭くなっている。
【０１４０】
図１３及び図１４に示すように、リラックスした第１状態での利用者Ｈの意識影響範囲ＸＡと、警戒または緊張した状態にある第２状態での意識影響範囲ＸＡは、異なっている。リラックスした第１状態での意識影響範囲ＸＡは、本件発明者らが実験を行ったところ、利用者の眼の位置から水平方向を基準として仰角３０°以下且つ俯角３０°以下で見込む範囲内に位置すると考えることができた。また、警戒または緊張した第２状態での意識影響範囲ＸＡは、利用者の眼の位置から水平方向を基準として仰角４０°以下且つ俯角４０°以下で見込む範囲内に位置すると考えることができた。
【０１４１】
図１３に示すように、リラックスした第１状態において、発光領域ＬＺは意識影響範囲ＸＡ内まで広がっておらず、無意識影響範囲ＹＡ内のみに位置している。すなわち、リラックスした状態にある利用者Ｈは、発光面ＥＰ内における照明光Ｌｙに起因した色付きに気付かない。したがって、利用者Ｈは発光面ＥＰ上の色付いた範囲を視界に入れることがなく、気が散ってしまうことも効果的に防止することができる。
【０１４２】
その一方で、利用者Ｈは、眼にたどり着いた照明光Ｌｙの色によって、無意気的に影響を受け、当該照明光に色に対応した所定の心理状態に導かれるようになる。とりわけ発光面ＥＰ上の発光領域ＬＺが無意識影響範囲ＹＡ内のみとなっているので、目標とする心理状態が得られた後に、当該心理状態を継続して維持することに極めて有効である。つまり、図示された例においては、リラックスした利用者Ｈが、リラックスした状態を効果的に継続して維持することが可能となる。
【０１４３】
図１４に示すように、警戒または緊張した第２状態において、発光領域ＬＺは意識影響範囲ＸＡ内まで広がっている。このとき、利用者Ｈは、発光面ＥＰ内における照明光Ｌｙに起因した発光面ＥＰの色付きに気付くことができる。したがって、利用者Ｈが第２状態にある場合、利用者Ｈは、照明光Ｌｙの色に起因した心理効果を強く受けるようになる。つまり、図示された例においては、利用者Ｈは、警戒や緊張から解放されてリラックスした状態に有効に導かれることになる。
【０１４４】
図１３及び図１４に示された第３例において、第１例及び第２例と異なり、利用者Ｈの第１状態から第２状態へと意識影響範囲ＸＡが広がる一方で、第１状態から第２状態へと発光領域ＬＺは狭くなっておらず、むしろ広がっている。また、第３例では、発光領域ＬＺの変化量は非常に小さくなっている。第３例において、第１状態で意識影響範囲ＸＡ外に位置しいていた発光領域ＬＺの第１方向ｄ１における他側ｓ１縁は、第２状態で意識影響範囲ＸＡ内に位置するようになる。
【０１４５】
以上に説明した第３例によれば、空間利用者Ｈの状態に応じて、発光面ＥＰ上の発光している発光領域ＬＺが変化する。発光領域ＬＺの大きさに応じて、空間利用者Ｈの心理状態への影響の及ぼし方が変わる。したがって、利用者の状態に応じた適切な心理作用を空間利用者に及ぼすことができる。これにより、例えばこの空間Ｓ内での利用者Ｈの作業効率を向上させることができる。
【０１４６】
なお、上述の説明では、検出センサ１８が警戒または緊張した第２状態を検出する例を示したが、これに限られない。検出センサ１８が、警戒または緊張した第２状態に代えて又は警戒または緊張した第２状態に加えて、リラックスした第１状態を検出可能としてもよい。
【０１４７】
また、第３例における照明システム１０の詳細な動作および照明方法については、ステップＳ１、ステップＳ４及びステップＳ７を空間Ｓの利用者Ｈが第２状態であるか否かを判断するステップに変更することで、第１例において図１０を参照しながら詳述した動作および方法を採用することができる。
【０１４８】
（第４例）
次に、図８及び図１５を参照して、第４例について説明する。第４例は、眠気が生じていない第２状態においても、第１状態と同様に発光領域ＬＺは意識影響範囲ＸＡ内まで広がっている点において第１例と異なり、その他の点において第１例と同様にすることができる。したがって、第４例において、眠気が生じている第１状態において、図８に示すように、発光領域ＬＺは意識影響範囲ＸＡ内まで広がっている。
【０１４９】
すなわち、第４例において、制御装置１５は、利用者Ｈが第１状態にある場合に発光面ＥＰのうちの発光している第１発光領域ＬＺ１の少なくとも一部が、第１状態にある利用者Ｈが発光面ＥＰ上の色を意識することができる意識影響範囲ＸＡ内となり、利用者Ｈが第２状態にある場合に発光面ＥＰのうちの発光している第２発光領域ＬＺ２の少なくとも一部が、第２状態にある利用者Ｈが発光面ＥＰ上の色を意識することができる無意識影響範囲ＹＡ内となるように、照明装置２０を制御する。したがって、利用者Ｈが第１状態にある場合に、発光面ＥＰの発光領域ＬＺの少なくとも一部が意識影響範囲ＸＡ内に含まれることで、発光色に応じた目標とする心理状態を迅速に引き起こすことが可能となる。同様に、利用者Ｈが第２状態にある場合にも、発光面ＥＰの発光領域ＬＺの少なくとも一部が意識影響範囲ＸＡ内に含まれることで、発光色に応じた目標とする心理状態を迅速に引き起こすことが可能となる。この具体例によれば、利用者の状態に応じて発光領域ＬＺを適切に変化させることができ、これにより、利用者Ｈの心理状態に効果的に影響を及ぼすことができる。
【０１５０】
（第５例）
次に、図９及び図１６を参照して、第５例について説明する。第５例は、眠気が生じている第１状態においても、第２状態と同様に発光領域ＬＺは無意識影響範囲ＹＡ内のみに広がっている点において第１例と異なり、その他の点において第１例と同様にすることができる。したがって、第５例において、眠気が生じていない第２状態において、図１６に示すように、発光領域ＬＺは無意識影響範囲ＹＡ内のみに広がっている。
【０１５１】
すなわち、第４例において、制御装置１５は、利用者Ｈが第１状態にある場合に発光面ＥＰのうちの発光している第１発光領域ＬＺ１が、第１状態にある利用者Ｈが発光面ＥＰ上の色を意識することができる意識影響範囲ＸＡ外となり、利用者Ｈが第２状態にある場合に発光面ＥＰのうちの発光している第２発光領域ＬＺ２が、第２状態にある利用者Ｈが発光面ＥＰ上の色を意識することができる意識影響範囲ＸＡ外となるように、照明装置２０を制御する。したがって、利用者Ｈが第１状態にある場合に、発光面ＥＰの発光領域ＬＺを無意識影響範囲ＹＡ内とすることで、発光色に応じた目標とする心理状態に長期間に亘って維持することが可能となる。同様に、利用者Ｈが第２状態にある場合にも、発光面ＥＰの発光領域ＬＺを無意識影響範囲ＹＡ内とすることで、発光色に応じた目標とする心理状態に長期間に亘って維持することが可能となる。この具体例によれば、利用者Ｈの状態に応じて発光領域ＬＺを適切に変化させることができ、これにより、利用者Ｈの心理状態に効果的に影響を及ぼすことができる。
【０１５２】
（第６例）
次に、第６例について説明する。上述した第１〜第５例では、発光領域ＬＺが、利用者Ｈの心理状態に基づいて調整される例を示した。第６例では、検出センサ１８が、利用者Ｈの心理状態ではなく、利用者Ｈの作業状態を検出し、制御装置１５が、利用者Ｈの作業状態に応じて、発光領域ＬＺの大きさを変更するようにしてもよい。
【０１５３】
一具体例として、第１状態を、利用者Ｈがコンピュータ等のデスクワークに打ち込んでいる状態とし、第２状態を、利用者Ｈが会議をしている状態とすることができる。コンピュータ等のデスクワークに打ち込んでいる利用者Ｈの意識影響範囲ＸＡは、利用者Ｈの眼の位置から水平方向を基準として仰角１０°以下且つ俯角１０°以下で見込む範囲内に位置すると考えることができる。また、会議を行っている利用者Ｈの意識影響範囲ＸＡは、利用者Ｈの眼の位置から水平方向を基準として仰角３０°以下且つ俯角３０°以下で見込む範囲内に位置すると考えることができる。
【０１５４】
一例として、第１状態における第１発光領域ＬＺ１及び第２状態における第２発光領域ＬＺ２を、第５例と同様に設定することができる。つまり、第１発光領域ＬＺ１が、第１状態にある利用者Ｈの無意識影響範囲ＹＡ内のみに位置し、第２発光領域ＬＺ２が、第２状態にある利用者Ｈの無意識影響範囲ＹＡ内のみに位置するようにしてもよい。
【０１５５】
この具体例において、第１発光領域ＬＺ１から射出する照明光Ｌｙの色を第２例と同様に肌色として、デスクワークを行う利用者Ｈに集中を促すようにしてもよい。第１発光領域ＬＺ１から射出する照明光Ｌｙの色を第２例と同様に肌色として、デスクワークを行う利用者Ｈに集中を促すようにしてもよい。また、第２発光領域ＬＺ２から射出する照明光Ｌｙの色を若草色や赤紫色として、会議中の利用者Ｈに「活気」や「積極性」をもたらすようにしてもよい。すなわち、第１状態と第２状態との間で、発光領域ＬＺを変更するとともに照明光Ｌｙの色も変更し、利用者Ｈに生じる心理状態を第１状態と第２状態とで異なるようにしている。第１状態と第２状態との間で、照明光Ｌｙの色を変更することで、利用者の作業状態に応じた適切な心理状態を引き起こすことができる。
【０１５６】
以上に説明した第６例によれば、空間利用者Ｈの状態に応じて、発光面ＥＰ上の発光している発光領域ＬＺが変化する。発光領域ＬＺの大きさに応じて、空間利用者Ｈの心理状態への影響の及ぼし方が変わる。また、第６例によれば、空間利用者Ｈの状態に応じて、発光領域ＬＺから射出する照明光Ｌｙの色も変化する。したがって、利用者の状態に応じた適切な心理作用を空間利用者に及ぼすことができる。これにより、例えばこの空間Ｓ内での利用者Ｈの作業効率を向上させることができる。
【０１５７】
以上において説明した一実施の形態において、照明システム１０は、発光面ＥＰを有し空間Ｓに光を射出する照明装置２０と、照明装置２０を制御する制御装置１５と、を有している。制御装置１５は、空間Ｓの利用者Ｈが第１状態にある場合に発光面ＥＰのうちの発光している第１発光領域ＬＺ１が、利用者Ｈが第２状態にある場合に発光面ＥＰのうちの発光している第２発光領域ＬＺ２と異なるように、照明装置２０を制御する。このような本実施の形態によれば、空間利用者Ｈの心理状態や作業状態に応じて、発光面ＥＰ上の発光している発光領域ＬＺが変化する。発光領域ＬＺの大きさに応じて、空間利用者Ｈの心理状態への影響の及ぼし方が変わる。すなわち、空間利用者Ｈが第１状態及び第２状態のいずれの状態にあるかに応じて、心理状態への影響の及ぼし方を変えることができる。したがって、利用者の状態に応じた適切な心理作用を空間利用者Ｈに及ぼすことができる。このように空間利用者Ｈの心理状態に効果的に影響を及ぼすことができるので、例えばこの空間Ｓ内での利用者Ｈの作業効率を向上させることができる。
【０１５８】
上述した一実施の形態の第１例〜第３例において、制御装置１５は、利用者Ｈが第１状態及び第２状態のうちのいずれか一方の状態にある場合に発光面ＥＰのうちの発光している発光領域ＬＺが、一方の状態にある利用者Ｈの意識影響範囲ＸＡ外となり、利用者Ｈが第１状態及び第２状態のうちのいずれか他方の状態にある場合に発光面ＥＰのうちの発光している発光領域ＬＺの少なくとも一部が、他方の状態にある利用者Ｈの意識影響範囲ＸＡ内となるように、照明装置２０を制御する。したがって、利用者Ｈが一方の状態にある場合に、発光面ＥＰの発光領域ＬＺを無意識影響範囲ＹＡ内とすることで、発光色に応じた目標とする心理状態を長期間に亘って維持することが可能となる。一方、利用者Ｈが他方の状態にある場合に、発光面ＥＰの発光領域ＬＺの少なくとも一部が意識影響範囲ＸＡ内に含まれることで、発光色に応じた目標とする心理状態を迅速に引き起こすことが可能となる。この具体例によれば、利用者Ｈの状態に応じて発光領域ＬＺを適切に変化させることができ、これにより、利用者Ｈの心理状態に効果的に影響を及ぼすことができる。
【０１５９】
上述した一実施の形態の第１例〜第６例において、第１状態にある利用者Ｈの意識影響範囲ＸＡは、第２状態にある利用者Ｈの意識影響範囲ＸＡと異なっている。このように、空間利用者Ｈが発光面ＥＰ上の色を認識することができる意識影響範囲ＸＡの大きさは、当該利用者Ｈの状態に応じて変化しやすい。上述した具体例では、意識影響範囲ＸＡの大きさの変化にともなって、発光領域ＬＺの大きさを調節することができる。これにより、空間利用者Ｈの状態変化に依らず、当該利用者Ｈの心理状態に効果的に影響を及ぼすことができる。
【０１６０】
上述した一実施の形態の第１例及び第２例において、第１状態にある利用者Ｈの意識影響範囲ＸＡは、第２状態にある利用者Ｈの意識影響範囲ＸＡよりも狭く、制御装置１５は、利用者Ｈが第１状態にある場合に発光面ＥＰのうちの発光している第１発光領域ＬＺ１が、利用者Ｈが第２状態にある場合に発光面ＥＰのうちの発光している第２発光領域ＬＺ２よりも広くなるように、照明装置２０を制御する。この具体例によれば、意識影響範囲ＸＡの大きさの変化にともなって、発光領域ＬＺの大きさを適切に調節することができる。例えば、第２状態における第２発光領域ＬＺ２が無意識影響範囲ＹＡ内のみとし、第１状態における第１発光領域ＬＺ１の少なくとも一部が意識影響範囲ＸＡ内に位置するようにすることができる。また、第１状態における第１発光領域ＬＺ１が無意識影響範囲ＹＡ内のみとし、第２状態における第２発光領域ＬＺ２の少なくとも一部が意識影響範囲ＸＡ内に位置するようにすることができる。これにより、空間利用者Ｈの状態変化に依らず、当該利用者Ｈの心理状態に効果的に影響を及ぼすことができる。
【０１６１】
上述した一実施の形態の第１例において、制御装置１５は、利用者Ｈが第２状態にある場合に発光面ＥＰのうちの発光している第２発光領域ＬＺ２が、第２状態にある利用者Ｈが発光面ＥＰ上の色を意識することができる意識影響範囲ＸＡ外となり、利用者Ｈが第１状態にある場合に発光面ＥＰのうちの発光している第１発光領域ＬＺ１の少なくとも一部が、第１状態にある利用者Ｈが発光面ＥＰ上の色を意識することができる範囲内となるように、照明装置２０を制御する。一例として、眠気が生じた第１状態において、第１発光領域ＬＺ１の藤色やあやめ色を利用者に意識させることで、眠気を迅速に取り除くことが可能となる。また、眠気が取り除かれた通常状態である第２状態において、無意識影響範囲ＹＡ内となる第２発光領域ＬＺ２から射出した藤色やあやめ色の光から、利用者は、無意識のうちに、眠気が生じない作用を継続的に及ぼされ、眠気が取り除かれた状態に維持される。この例によれば、利用者Ｈは、空間Ｓ内において、高い生産性で活動することできる。なお、眠気が生じた第１状態での意識影響範囲ＸＡは、利用者Ｈの眼の位置から仰角１０°以下且つ俯角１０°以下で見込む範囲内に位置すると考えることができる。同様に、眠気が取り除かれた通常状態である第２状態での意識影響範囲ＸＡは、利用者Ｈの眼の位置から仰角３０°以下且つ俯角３０°以下で見込む範囲内に位置すると考えることができる。鋭意実験を繰り返したところ、このように意識影響範囲ＸＡを設定することで、空間Ｓ内での生産性を改善する効果が有効に得られる得ることが確認された。
【０１６２】
上述した一実施の形態の第２例において、制御装置１５は、利用者Ｈが第１状態にある場合に発光面ＥＰのうちの発光している第１発光領域ＬＺ１が、第１心理状態にある利用者Ｈが発光面ＥＰ上の色を意識することができる意識影響範囲ＸＡ外となり、利用者Ｈが第２状態にある場合に発光面ＥＰのうちの発光している領域の少なくとも一部が、第２状態にある利用者Ｈが発光面ＥＰ上の色を意識することができる意識影響範囲ＸＡ内となるように、照明装置２０を制御する。一例として、利用者Ｈが集中した状態にある第１状態において、利用者Ｈの気を散らすことのないよう、無意識影響範囲ＹＡ内となる発光領域ＬＺから、集中の継続を促す肌色等の光を射出する。これにより、利用者Ｈは、無意識のうちに継続的に集中を促され、集中した状態に維持される。また、集中が切れて散漫した状態または通常状態である第２状態において、意識影響範囲ＸＡ内に位置する発光領域ＬＺの肌色等を利用者に意識させることで、集中した状態へと迅速に誘導することが可能となる。この例によれば、利用者Ｈは、空間Ｓ内において、高い生産性で活動することできる。なお、集中した状態にある第１状態での意識影響範囲ＸＡは、利用者Ｈの眼の位置から仰角１０°以下且つ俯角１０°以下で見込む範囲内に位置すると考えることができる。同様に、集中が切れて散漫した状態または通常状態である第２状態での意識影響範囲ＸＡは、利用者Ｈの眼の位置から仰角３０°以下且つ俯角３０°以下で見込む範囲内に位置すると考えることができる。鋭意実験を繰り返したところ、このように意識影響範囲ＸＡを設定することで、空間Ｓ内で生産性を改善する効果が有効に得られる得ることが確認された。
【０１６３】
上述した一実施の形態の第３例において、第１状態にある利用者Ｈの意識影響範囲ＸＡは、第２状態にある利用者Ｈの意識影響範囲ＸＡよりも狭く、制御装置１５は、利用者Ｈが第２状態にある場合に発光面ＥＰのうちの発光している第２発光領域ＬＺ２が、利用者Ｈが第１状態にある場合に発光面ＥＰのうちの発光している第１発光領域ＬＺ１よりも広くなるように、照明装置２０を制御する。この具体例によれば、意識影響範囲ＸＡの大きさの変化にともなって、発光領域ＬＺの大きさを適切に調節することができる。
例えば、第１状態における第１発光領域ＬＺ１が無意識影響範囲ＹＡ内のみとし、第２状態における第２発光領域ＬＺ２の少なくとも一部が意識影響範囲ＸＡ内に位置するようにすることができる。これにより、空間利用者Ｈの状態変化に依らず、当該利用者Ｈの心理状態に効果的に影響を及ぼすことができる。
【０１６４】
上述した一実施の形態の第３例において、制御装置１５は、利用者Ｈが第１状態にある場合に発光面ＥＰのうちの発光している発光領域ＬＺが、第１状態にある利用者Ｈの意識影響範囲ＸＡ外となり、利用者Ｈが第２状態にある場合に発光面ＥＰのうちの発光している領域の少なくとも一部が、第２状態にある利用者Ｈの意識影響範囲ＸＡ内となるように、照明装置２０を制御する。一例として、利用者Ｈがリラックスした状態にある第１状態において、利用者Ｈを警戒又は緊張させることのないよう、無意識影響範囲ＹＡ内となる発光領域ＬＺから、リラックスの継続を促す檸檬色等の光を射出する。これにより、利用者Ｈは、無意識のうちに継続的に働きかけられることで、リラックスした状態に維持される。また、リラックスすることができず警戒または緊張した状態である第２状態において、意識影響範囲ＸＡ内に位置する発光領域ＬＺの檸檬色等を利用者に意識させることで、リラックスした状態へと迅速に誘導することが可能となる。この例によれば、利用者Ｈは、空間Ｓ内において、快適に過ごすことできる。なお、リラックスした状態にある第１状態での意識影響範囲ＸＡは、利用者Ｈの眼の位置から仰角３０°以下且つ俯角３０°以下で見込む範囲内に位置すると考えることができる。同様に、リラックスすることができず警戒または緊張した状態である第２状態での意識影響範囲ＸＡは、利用者Ｈの眼の位置から仰角４０°以下且つ俯角４０°以下で見込む範囲内に位置すると考えることができる。鋭意実験を繰り返したところ、このように意識影響範囲ＸＡを設定することで、空間Ｓ内で快適性を改善する効果が有効に得られる得ることが確認された。
【０１６５】
上述した一実施の形態の一具体例において、照明システム１０は、利用者Ｈの状態を検出する検出センサ１８を更に有し、制御装置１５は、検出センサ１８での検出結果に基づいて照明装置２０を制御する。利用者Ｈの状態を検出する検出センサ１８を用いることで、利用者Ｈの状態変化に迅速に対応して発光領域ＬＺを調節することができる。
【０１６６】
上述した一実施の形態の一具体例において、検出センサ１８は、利用者Ｈの瞬き動作、瞬き回数、瞳孔の状態、視線の方向、顔の動作の少なくとも一つを検出する。このような検出センサ１８の検出結果を用いることで、利用者Ｈの状態を適切に検出することができる。
【０１６７】
上述した一実施の形態の一具体例において、検出センサ１８は、利用者Ｈを撮像する撮像装置を有する。このような検出センサ１８は簡易且つ安価である。また、既存の照明装置２０への適用も可能である。
【０１６８】
上述した一実施の形態の第６例において、制御装置１５は、空間Ｓの利用者Ｈが第１状態にある場合に発光面ＥＰの発光色が、利用者Ｈが第２状態にある場合に発光面ＥＰの発光色と異なるように、照明装置２０を制御するようにした。発光色を制御することで、空間利用者Ｈの誘導目標となる心理状態を適宜変更することができる。したがって、利用者Ｈの状態に応じて照明をより適切なものとすることができ、これにより、利用者Ｈの心理状態により効果的に影響を及ぼすことができる。
【０１６９】
上述した一実施の形態の一具体例において、発光面ＥＰは、空間Ｓを区画する壁Ｗに設けられているようにした。空間Ｓの利用者Ｈの意識影響範囲ＸＡは、多くの場合、壁Ｗ上に広がる。したがって、壁Ｗに設けた発光面ＥＰの発光領域ＬＺを変更することで、利用者Ｈの状態に応じて照明をより適切なものとすることができる。これにより、利用者Ｈの心理状態により効果的に影響を及ぼすことができる。
【０１７０】
上述した一実施の形態の一具体例において、発光面ＥＰの或る一定面積の領域からの出射光量は、当該領域よりも空間Ｓを区画する天井ＣＥに近接する発光面ＥＰの他の或る一定面積の領域からの出射光量よりも少なくなっている。さらには、発光面ＥＰの任意に選択される一定面積の領域からの出射光量は、当該領域よりも空間Ｓを区画する天井ＣＥに近接する発光面ＥＰの他の一定面積の領域からの出射光量以下となるようにしてもよい。これらの具体例によれば、照明装置２０の発光領域ＬＺの大きさが調節可能であることに加え、発光領域ＬＺ内における出射光量が調整され得る。したがって、利用者の心理状態により効果的に影響を及ぼすことが可能となる。また、照明光の有効利用の観点から、照明装置２０の発光面ＥＰは、壁Ｗのうちの天井ＣＥに近接していることが好ましい。この場合、発光面ＥＰのうちの天井ＣＥから離間する領域が、意識影響範囲ＸＡ内となり、発光面ＥＰのうちの天井ＣＥに近接する領域は、無意識影響範囲ＹＡ内となりやすくなる。上述した具体例での出射光量の分布によれば、意識影響範囲ＸＡからの出射光量を、無意識影響範囲ＹＡからの出射光量よりも少なくすることができる。これにより、意識影響範囲ＸＡからの光によって、空間利用者Ｈの心理状態に過度に働きかけることを効果的に防止することができる。また、無意識影響範囲ＹＡからの光によって、空間利用者Ｈの心理状態に有効に働きかけることができる。
【０１７１】
上述した一実施の形態の一具体例において、利用者Ｈが発光面ＥＰ上の色を意識することができる意識影響範囲ＸＡ内に位置する一定面積の領域からの出射光量は、利用者Ｈが発光面ＥＰ上の色を意識することができる意識影響範囲ＸＡ外に位置する一定面積の領域からの出射光量よりも少なくなっていることが好まし。つまり、意識影響範囲ＸＡからの出射光量を、無意識影響範囲ＹＡからの出射光量よりも少なくすることができる。これにより、意識影響範囲ＸＡからの光によって、空間利用者Ｈの心理状態に過度に働きかけることを効果的に防止することができる。また、無意識影響範囲ＹＡからの光によって、空間Ｓ利用者の心理状態に有効に働きかけることができる。
【０１７２】
上述した一実施の形態の一具体例において、照明システム１０は、空間Ｓを区画する天井ＣＥに設けられたベース照明装置１３を更に有している。別途にベース照明装置１３が設けられていることから、照明装置２０の発光面ＥＰの位置や大きさを、空間利用者Ｈの心理状態に与える影響を考慮して、適宜設定することができる。これにより、利用者Ｈの心理状態により効果的に影響を及ぼすことができる。
【０１７３】
上述した一実施の形態において、発光面ＥＰを有する照明装置２０を用いて空間Ｓを照明する照明方法は、空間Ｓの利用者Ｈが第１状態にある場合に発光面ＥＰを発光させて照明を行う工程と、空間Ｓの利用者Ｈが第２状態にある場合に発光面ＥＰを発光させて照明を行う工程と、を含んでいる。利用者Ｈが第１状態にある場合に発光面ＥＰのうちの発光している発光領域ＬＺ１と、利用者Ｈが第２状態にある場合に発光面ＥＰのうちの発光している第２発光領域ＬＺ２と、が異なっている。このような本実施の形態によれば、空間利用者Ｈの心理状態や動作状態に応じて、発光面ＥＰ上の発光している発光領域ＬＺが変化する。発光領域ＬＺの大きさに応じて、空間利用者Ｈの心理状態への影響の及ぼし方が変わる。したがって、空間利用者Ｈが第１状態及び第２状態のいずれの状態にあるかに応じて、心理状態への影響の及ぼし方を変えることができる。すなわち、利用者Ｈの状態に応じた適切な心理作用を空間利用者に及ぼすことができる。このように空間利用者Ｈの心理状態に効果的に影響を及ぼすことができるので、例えばこの空間Ｓ内での利用者Ｈの作業効率を向上させることができる。
【０１７４】
上述した一実施の形態において、照明システム１０は、発光面ＥＰを有し空間Ｓに光を射出する照明装置２０と、照明装置２０を制御する制御装置１５と、を有している。制御装置１５は、利用者Ｈが第１状態及び第２状態のうちのいずれか一方の状態にある場合に発光面ＥＰのうちの発光している発光領域ＬＺが、前記一方の状態にある利用者の意識影響範囲ＸＡ外となり、利用者Ｈが第１状態及び第２状態のうちのいずれか他方の状態にある場合に発光面ＥＰのうちの発光している発光領域ＬＺの少なくとも一部が、他方の状態にある利用者Ｈの意識影響範囲ＸＡ内となるように、照明装置２０を制御する。このような本実施の形態によれば、利用者Ｈが一方の状態にある場合に、発光面ＥＰの発光領域ＬＺを無意識影響範囲ＹＡ内とすることで、発光色に応じた目標とする心理状態に長期間に亘って維持することが可能となる。一方、利用者Ｈが他方の状態にある場合に、発光面ＥＰの発光領域ＬＺの少なくとも一部が意識影響範囲ＸＡ内に含まれることで、発光色に応じた目標とする心理状態を迅速に引き起こすことが可能となる。したがって、利用者Ｈの状態に応じて発光領域を適切に変化させることができ、これにより、利用者Ｈの心理状態に効果的に影響を及ぼすことができる。なお、このような照明装置２０において、発光領域ＬＺが第１状態および第２状態の間で変化せず同一であるようにしてもよい。
【０１７５】
一実施の形態を複数の具体例により説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。
【０１７６】
以下、図面を参照しながら、変形の一例について説明する。以下の説明および以下の説明で用いる図面では、上述した具体例と同様に構成され得る部分について、上述の具体例における対応する部分に対して用いた符号と同一の符号を用いるとともに、重複する説明を省略する。
【０１７７】
上述した一実施の具体例においては、利用者Ｈが第１状態および第２状態のいずれにあるかに応じて、照明装置２０による照明方法を変更する例を示したが、この例に限られない。例えば、利用者Ｈが三以上の状態のうちのいずれの状態にあるかに応じて、照明装置２０による照明方法を変更するようにしてもよい。
【０１７８】
また、上述した一実施の具体例において、照明装置２０がエッジライト型の面光源装置５０を含む例を示したが、この例に限られない。例えば、直下型の面光源装置５０を照明装置２０に組み込んでもよい。図１７に示された面光源装置５０は、光拡散シート５６、反射シート５７及び光学シート５８を、光学部材５５として、有している。光学シート５８は、光拡散シート５６と反射シート５７との間に配置されている。光源５１は、反射シート５７と光学シート５８との間に配置されている。光源５１は、第１方向ｄ１及び第２方向ｄ２の両方向に配列された複数の発光体５２を含んでいる。光学シート５８は、一例として、複数の発光体５２の配列に起因した照度分布を調節する機能、例えば均一化する機能を有している。図１７に示された例において、光学シート５８は、光拡散シート５６側に突出したプリズムを有するプリズムシートによって構成されている。図１７の面光源装置５０において、光拡散シート５６が光射出面５０ａを形成し、発光面ＥＰを形成するようになる化粧シート４０の第１領域Ｚ１を面状に照明する面状光を放出することができる。図１７に示された例においては、各発光体５２の出力を調整することで、光射出面５０ａと重なる照明装置２０の発光面ＥＰ内における発光領域ＬＺの位置及び大きさを調節することができる。また、各発光体５２の出力を調整することで、発光領域ＬＺ内における一定面積の領域からの出射光量分布を制御することができる。さらに、光源５１が、互いに異なる波長域の発光体５２を含む場合には、各発光体５２の出力を調整することで、発光領域ＬＺから射出する照明光Ｌｙの色を制御することもできる。
【０１７９】
また、面光源装置５０として、ＥＬ（Electro Luminescence）シート等の発光シート、面状発光体、シート光源を用いることも可能である。
【０１８０】
さらに、照明装置の別の例として、図１８に示すように、照明装置２０が、化粧シート４０と、化粧シート４０上に光を照射する光源５１と、を有するようにしてもよい。図１８に示された例において、化粧シート４０は、壁本体ＷＢ上に設けられている。光源５１は、天井ＣＥに形成された凹部内に配置されている。化粧シート４０での反射によって、空間Ｓに照明光Ｌｙを供給することができる。すなわち、図１８に示された例において、発光面ＥＰは、化粧シート４０の表面のうちの、光源５１から光を照射され得る領域となる。図１８に示された例では、光源５１から出射する光の配光特性、より具体的には光度角度分布を調節可能としておくことで、発光領域ＬＺの位置及び大きさ、発光領域ＬＺ内における一定面積の領域からの出射光量分布を調節することができる。また、光源５１は、照明光Ｌｙの色が切り替え可能となるよう、異なる波長域の光を射出可能となっていることが好ましい。
【０１８１】
また、別の変形例として、図１９に示すように、化粧シート４０が、面光源装置５０の二以上の面に対面して配置されるようにしてもよい。図１９に示された例において、面光源装置５０は、一対の主面５０ｂと一対の主面５０ｂの間に位置する側面５０ｃとを有している。一方の主面５０ｂが、光射出面５０ａを含んでいる。図示された例において、化粧シート４０は、光射出面５０ａを含む一つの主面５０ｂと、この主面５０ｂに隣接する側面５０ｃと、に対面している。より厳密には、図１９に示された化粧シート４０は、光射出面５０ａを含む一つの主面５０ｂと、この主面５０ｂに隣接する四つの側面５０ｃと、を覆っている。図１９に示された例では、化粧シート４０及び面光源装置５０を含む照明装置２０が、一つの部材として、例えば発光パネル材として取り扱われ、構造体としての壁本体ＷＢに取り付けられている。また、ボード３０と、ボード３０の一方の主面と側面とを覆う化粧シート４０と、を含んでなるパネル材７０が、照明装置２０とともに、構造体としての壁本体ＷＢに取り付けられている。図１９に示された照明装置２０は、形状や大きさを調節されたパネル材７０との組み合わせにより、種々の大きさや形状の領域に対して設置可能となる。
【０１８２】
なお、図２０は、図１９の照明装置２０の分解斜視図を示している。図２０に示された例において、照明装置２０は、偏平した直方体形状を有するようになる。照明装置２０は、面光源装置５０の一方の主面５０ｂに対応した領域４０ａと、面光源装置５０の四つの側面５０ｃにそれぞれ対応した四つ領域４０ｂと、を有している。化粧シート４０の領域４０ａのうちの光射出面５０ａに対面する部分が、発光面ＥＰなするようになる第１領域Ｚ１を形成しており、化粧シート４０の領域４０ａのうちの光射出面５０ａに対面しない部分と、化粧シート４０の領域４０ｂとが、第２領域Ｚ２を形成する。
【０１８３】
面光源装置５０は、反射シート５７、導光板６０、調整シート５９及び光拡散シート５６を有している。導光板６０に対して第１方向ｄ１における第１側ｓ１から対向して発光体５２が設けられている。調整シート５９は、可視光透過性を有した透明な基材５９ａと、基材５９ａ上に設けられた光吸収部５９ｂと、を含んでいる。光吸収部５９ｂは、例えば可視光吸収性を有した顔料を含んでおり、可視光吸収機能を有する。一例として、光吸収部５９ｂは、カーボンブラックやチタンブラックを含む。
【０１８４】
調整シート５９は、第１方向ｄ１における第２側ｓ２に位置する第２領域Ｚ２に近接する位置で化粧シート４０からの出射光量を低下させるための層である。そして、調整シート５９の各領域での光吸収能は、一様ではなく、変化する。例えば、調整シート５９の或る領域での光吸収能を、当該領域よりも第１方向ｄ１における第１側ｓ１に位置して発光体５２に近接する他の或る領域での調整シート５９の光吸収能よりも強くすることで、第１方向ｄ１における第２側ｓ２に位置して第２領域Ｚ２に近接する領域からの出射光量を低下させることができる。さらに、任意に選択される領域での調整シート５９の光吸収能を、当該領域よりも第１方向ｄ１における第１側ｓ１に位置する他の領域での調整シート５９の光吸収能以上とすることで、第１方向ｄ１における第２側ｓ２に位置する第２領域Ｚ２に近接するにしたがい出射光量を低下させることが可能となる。なお、可視光吸収能は、顔料の含有密度、光吸収部５９ｂの配置密度、光吸収部５９ｂの厚さ等により調節することができる。この調整シート５９は、上述してきた面光源装置５０の他の例に対しても適用可能である。
【０１８５】
図１９及び図２０に関連した変形例として、図２１及び図２２に示された変形例での照明装置２０は、化粧シート４０及び面光源装置５０に加えて、面光源装置５０を保持する支持フレーム３４を有している。支持フレーム３４は、面光源装置５０を補強するとともに、壁Ｗ等の外部に面光源装置５０を設置することを容易にする。化粧シート４０は、面光源装置５０に直接接合されていてもよいし、支持フレーム３４に接合されて面光源装置５０に対面するようにしてもよい。図２１に示された例において、化粧シート４０は、発光面ＥＰを形成するようになるその第１領域Ｚ１において、面光源装置５０の支持フレーム３４によって覆われていない領域に対面する。また、化粧シート４０は、その第２領域Ｚ２において、面光源装置５０を覆う支持フレーム３４に対面している。図２２に示された例において、化粧シート４０の第２領域Ｚ２は、支持フレーム３４を介して面光源装置５０の側面に対面する領域にまで広がっている。さらに、図２１及び図２２に示された例において、照明装置２０は、面光源装置５０とともに支持フレーム３４に支持された支持板３５を有している。支持板３５は、照明装置２０に剛性を付与するための部材であり、例えばアルミニウム等の金属製の板材とすることができる。支持板３５は、図２１及び図２２に示された例だけでなく他の例にも適用可能であるが、図２１及び図２２の例から省略することも可能である。
【０１８６】
さらに、他の変形例として、上述してきた照明装置２０は、ベース照明装置１３と組み合わせることなく単独で用いることもできる。この例においても、照明装置２０は、空間Ｓの雰囲気を演出することができ、さらに、空間Ｓを照明する機能を付与されてもよい。
【０１８７】
さらに、上述してきた照明装置２０は、建材パネルＢＰとして、壁Ｗを構成するものとして説明してきたが、これに限られず、天井ＣＥを構成するようにしてもよいし、或いは、床Ｆを構成するようにしてもよい。
【０１８８】
化粧シート４０及び面光源装置５０を含む照明装置２０は、組立キットとして取り扱われても良い。すなわち、面光源装置５０の光学部材５５の少なくとも一部および化粧シート４０の組み合わせが、組立キットとして流通または販売され、建物や移動体に設置されるようにしてもよい。この例において、組立キットを構成する化粧シート４０や面光源装置５０を順に建物や移動体に設置して構造体を作製するようにしてもよいし、或いは、まず、組立キットを構成する化粧シート４０や面光源装置５０を用いて照明装置２０や建材パネルＢＰを組み立て、次に組み立てられた照明装置２０や建材パネルＢＰを建物や移動体に設置して構造体を作製するようにしてもよい。
【０１８９】
なお、以上において上述した実施の形態に対するいくつかの変形例を説明してきたが、当然に、複数の変形例を適宜組み合わせて適用することも可能である。
【符号の説明】
【０１９０】
Ｓ     空間
Ｈ     利用者
ＥＰ   発光面
ＬＺ   発光領域
ＬＺ１ 第１発光領域
ＬＺ２ 第２発光領域
ＸＡ   意識影響範囲
ＸＢ   無意識影響範囲
１０   照明システム
１３   ベース照明装置
１５   制御装置
１８   検出センサ
２０   照明装置
２１   第１照明装置
２２   第２照明装置
２３   第３照明装置
２４   第４照明装置
４０   化粧シート
５０   面光源装置
５１   光源
５２   発光体
５５   光学部材
【図１】
2019200915.tif 000003
【図２】
2019200915.tif 000004
【図３】
2019200915.tif 000005
【図４】
2019200915.tif 000006
【図５】
2019200915.tif 000007
【図６】
2019200915.tif 000008
【図７】
2019200915.tif 000009
【図８】
2019200915.tif 000010
【図９】
2019200915.tif 000011
【図１０】
2019200915.tif 000012
【図１１】
2019200915.tif 000013
【図１２】
2019200915.tif 000014
【図１３】
2019200915.tif 000015
【図１４】
2019200915.tif 000016
【図１５】
2019200915.tif 000017
【図１６】
2019200915.tif 000018
【図１７】
2019200915.tif 000019
【図１８】
2019200915.tif 000020
【図１９】
2019200915.tif 000021
【図２０】
2019200915.tif 000022
【図２１】
2019200915.tif 000023
【図２２】
2019200915.tif 000024